(57)【特許請求の範囲】
【請求項１】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、
前記電子メール送受信手段が前記ローカルエリアネットワークを介しておよび／または前記インターネットを介して所定の電子メールサーバーから前記電子メールを取得する取得時刻、取得時間隔、取得回数を含む電子メール取得状況に関する情報を記憶する電子メール取得状況記憶手段と、
前記電子メール取得状況記憶手段によって記憶された電子メール取得状況に関する情報の全部または一部を１または複数の他のファクシミリ装置および／または１または複数の他の情報処理装置へ前記ローカルエリアネットワークを介しておよび／または前記インターネットを介して送信する電子メール取得状況送信手段と、
を備えたことを特徴とする情報処理装置。
【請求項２】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、
前記電子メール送受信手段が前記ローカルエリアネットワークを介しておよび／または前記インターネットを介して所定の電子メールサーバーから前記電子メールを取得する取得時刻、取得時間隔、取得回数を含む電子メール取得状況に関する情報を記憶する電子メール取得状況記憶手段と、
前記電子メール取得状況記憶手段によって記憶された電子メール取得状況に関する情報の取得要求情報を、前記ローカルエリアネットワークを介しておよび／または前記インターネットを介して１または複数の他のファクシミリ装置および／または１または複数の他の情報処理装置から受信する取得要求情報受信手段と、
前記取得要求情報受信手段によって受信された取得要求情報に基づいて、前記電子メール取得状況記憶手段によって記憶された電子メール取得状況に関する情報の全部または一部を１または複数の前記他のファクシミリ装置および／または１または複数の前記他の情報処理装置へ前記ローカルエリアネットワークを介しておよび／または前記インターネットを介して送信する電子メール取得状況送信手段と、
を備えたことを特徴とする情報処理装置。
【請求項３】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、
前記電子メール送受信手段が前記ローカルエリアネットワークを介しておよび／または前記インターネットを介して所定の電子メールサーバーから前記電子メールを取得する取得時刻、取得時間隔、取得回数を含む電子メール取得状況に関する情報を記憶する電子メール取得状況記憶手段と、
前記電子メール取得状況記憶手段によって記憶された電子メール取得状況に関する情報に基づいて、１または複数の他のファクシミリ装置および／または１または複数の他の情報処理装置へ送信する電子メールを作成する電子メール作成手段と、
前記電子メール作成手段によって作成された電子メールを、１または複数の前記他のファクシミリ装置および／または、１または複数の前記他の情報処理装置へ前記ローカルエリアネットワークを介しておよび／または前記インターネットを介して送信する電子メール取得状況送信手段と、
を備えたことを特徴とする情報処理装置。
【請求項４】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、
前記電子メール送受信手段が前記ローカルエリアネットワークを介しておよび／または前記インターネットを介して所定の電子メールサーバーから前記電子メールを取得する取得時刻、取得時間隔、取得回数を含む電子メール取得状況に関する情報を記憶する電子メール取得状況記憶手段と、
前記電子メール取得状況記憶手段によって記憶された電子メール取得状況に関する情報の取得要求情報を含む第１の電子メールを、前記ローカルエリアネットワークを介しておよび／または前記インターネットを介して１または複数の他のファクシミリ装置および／または、１または複数の他の情報処理装置から受信する取得要求情報受信手段と、
前記電子メール取得状況記憶手段によって記憶された電子メール取得状況に関する情報に基づいて、１または複数の前記他のファクシミリ装置および／または１または複数の前記他の情報処理装置へ送信する第２の電子メールを作成する電子メール作成手段と、
前記取得要求情報受信手段によって受信された第１の電子メールに含まれた取得要求情報に基づいて、前記電子メール作成手段によって作成された第２の電子メールを１または複数の前記他のファクシミリ装置および／または１または複数の前記他の情報処理装置へ前記ローカルエリアネットワークを介しておよび／または前記インターネットを介して送信する電子メール取得状況送信手段と、
を備えたことを特徴とする情報処理装置。
【請求項５】
前記電子メール作成手段は、前記電子メール取得状況記憶手段によって記憶された電子メール取得状況に関する情報を前記電子メールまたは前記第２の電子メールのテキストパートに記載することを特徴とする請求項３または４に記載の情報処理装置。
【請求項６】
前記電子メール作成手段は、前記電子メール取得状況記憶手段によって記憶された電子メール取得状況に関する情報を前記電子メールまたは前記第２の電子メールの所定のバウンダリに記載することを特徴とする請求項３または４に記載の情報処理装置。
【請求項７】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、
１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報の取得要求情報を、前記ローカルエリアネットワークを介しておよび／または前記インターネットを介して１または複数の前記他のファクシミリ装置および／または、１または複数の前記他の情報処理装置へ送信する取得要求情報送信手段を備えたことを特徴とする情報処理装置。
【請求項８】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、
１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報の取得要求情報を含む電子メールを作成する電子メール作成手段と、
前記電子メール作成手段によって作成された電子メールを、前記ローカルエリアネットワークを介しておよび／または前記インターネットを介して１または複数の前記他のファクシミリ装置および／または１または複数の前記他の情報処理装置へ送信する取得要求情報送信手段と、
を備えたことを特徴とする情報処理装置。
【請求項９】
前記取得要求情報送信手段は、１または複数の前記他のファクシミリ装置および／または１または複数の前記他の情報処理装置の電子メールアドレスが登録された際に前記取得要求情報または前記電子メールを送信することを特徴とする請求項７または８に記載の情報処理装置。
【請求項１０】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備え、前記画像情報を出力する出力装置が接続された情報処理装置において、
１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報または前記電子メール取得状況に関する情報に基づいて作成された電子メールを、前記ローカルエリアネットワークを介しておよび／または前記インターネットを介して受信する受信手段と、
前記受信手段によって受信された電子メール取得状況に関する情報または前記受信手段によって受信された電子メールに含まれる前記電子メール取得状況に関する情報を記憶する記憶手段と、
前記記憶手段によって記憶された電子メール取得状況に関する情報を前記出力装置へ送信する送信手段と、
を備えたことを特徴とする情報処理装置。
【請求項１１】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、
１または複数の前記他のファクシミリ装置および／または１または複数の前記他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報または前記電子メール取得状況に関する情報に基づいて作成された電子メールを、前記ローカルエリアネットワークを介しておよび／または前記インターネットを介して受信する受信手段と、
前記受信手段によって受信された電子メール取得状況に関する情報または前記受信手段によって受信された電子メールに含まれる前記電子メール取得状況に関する情報を、あらかじめ登録された１または複数の他のファクシミリ装置および／または１または複数の他の情報処理装置の電子メールアドレスに対応させて記憶する記憶手段と、
を備えたことを特徴とする情報処理装置。
【請求項１２】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、
１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報または前記電子メール取得状況に関する情報に基づいて作成された電子メールを、前記ローカルエリアネットワークを介しておよび／または前記インターネットを介して受信する受信手段と、
前記受信手段によって受信された電子メール取得状況に関する情報または前記受信手段によって受信された電子メールに含まれる前記電子メール取得状況に関する情報を、あらかじめ登録された１または複数の前記他のファクシミリ装置および／または１または複数の前記他の情報処理装置の電子メールアドレスに対応させて記憶する記憶手段と、
前記あらかじめ登録された１または複数の前記他のファクシミリ装置および／または１または複数の前記他の情報処理装置の電子メールアドレスの呼び出しがあった場合に、前記電子メールアドレスとともに前記電子メールアドレスに対応する前記記憶手段に記憶された電子メール取得状況に関する情報の全部または一部を表示する表示手段と、
を備えたことを特徴とする情報処理装置。
【請求項１３】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、
１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報または前記電子メール取得状況に関する情報に基づいて作成された電子メールを、前記ローカルエリアネットワークを介しておよび／または前記インターネットを介して受信する受信手段と、
前記受信手段によって受信された電子メール取得状況に関する情報または前記受信手段によって受信された電子メールに含まれる前記電子メール取得状況に関する情報を、あらかじめ登録された１または複数の前記他のファクシミリ装置および／または１または複数の前記他の情報処理装置の電子メールアドレスに対応させて記憶する記憶手段と、
１または複数の前記他のファクシミリ装置および／または１または複数の前記他の情報処理装置によって画像情報を取得してほしい希望時刻に関する情報を入力する入力手段と、
前記入力手段によって入力された希望時刻に関する情報と、前記記憶手段によって記憶された電子メール取得状況に関する情報に含まれる前記電子メールを取得する取得時刻、取得時間隔、取得回数の中のいずれか一つの情報とに基づいて、前記画像情報を、前記一般公衆回線を使用して前記所定のファクシミリ伝送手順によって伝送するか、電子メールに含めて前記ローカルエリアネットワークを介しておよび／または前記インターネットを介して送信をおこなうかを判断する判断手段と、
を備えたことを特徴とする情報処理装置。
【請求項１４】
一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、
１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報または前記電子メール取得状況に関する情報に基づいて作成された電子メールを、前記ローカルエリアネットワークを介しておよび／または前記インターネットを介して受信する受信手段と、
前記受信手段によって受信された電子メール取得状況に関する情報または前記受信手段によって受信された電子メールに含まれる前記電子メール取得状況に関する情報を、あらかじめ登録された１または複数の前記他のファクシミリ装置および／または１または複数の前記他の情報処理装置の電子メールアドレスに対応させて記憶する記憶手段と、
を備え、
前記画像情報伝送手段は、画像情報を電子メールに含めて前記ローカルエリアネットワークを介しておよび／または前記インターネットを介して送信をおこなった結果、１または複数の前記他のファクシミリ装置および／または１または複数の前記他の情報処理装置が前記電子メール取得状況に関する情報どおりに前記画像情報を含む電子メールを取得しなかった場合に、前記画像情報を前記一般公衆回線を使用して前記所定のファクシミリ伝送手順によって伝送することを特徴とする情報処理装置。
【請求項１５】
前記電子メール取得状況に関する情報は、電子メール取得の時刻に関する情報を含むことを特徴とする請求項１〜１４のいずれか一つに記載の情報処理装置。
【請求項１６】
前記電子メール取得状況に関する情報は、電子メール取得の時間隔に関する情報を含むことを特徴とする請求項１〜１４のいずれか一つに記載の情報処理装置。
【請求項１７】
前記電子メール取得状況に関する情報は、所定時間における電子メール取得の回数に関する情報を含むことを特徴とする請求項１〜１４のいずれか一つに記載の情報処理装置。
【発明の詳細な説明】
【０００１】
【発明の属する技術分野】
本発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置に関するものである。
【０００２】
【従来の技術】
近年、インターネットファクシミリ装置が普及しつつある。インターネットファクシミリ装置は、紙文書を相手のパーソナルコンピュータに送信したり、通信コストの削減をしたり、Ｇ３ファクシミリからの文書を個人のパーソナルコンピュータで受信したり、パーソナルコンピュータからファクシミリを送信したりするなどの要求を満たすことができる。インターネットファクシミリ装置は、基本的には電子メール送信をもちいているため、送達確認ができないという問題点がある。これに対して、ＭＤＮなどの送達確認の新規プロトコルが導入され、上記問題点は改善しつつある。
【０００３】
【発明が解決しようとする課題】
しかしながら、電子メールの受信は受信側装置の設定にしたがってメールサーバーから引き取るため、送信した電子メールを受信側装置がいつ引き取るのか不明な状態にある。特に、一般公衆網にダイヤルアップ接続されるインターネットファクシミリ装置にあっては、メールサーバーに接続するだけで課金されてしまうため、１日に接続される時間または回数は少なく、送信側装置から見ると、電子メールが引き取られる時刻が何時であるのかきわめてわかりづらく、送信者（ユーザー）が不安になるという問題点があった。
【０００４】
この発明は、上述の点に鑑みてなされたものであり、ローカルエリアネットワークおよび／またはインターネットを介して画像情報の伝送をおこなう際の操作者の利便性を向上させることが可能なファクシミリ装置、情報処理装置、画像情報伝送システム、画像情報伝送方法およびその方法をコンピュータに実行させるプログラムを記録したコンピュータ読み取り可能な記録媒体を提供することを目的とする。
【０００５】
【課題を解決するための手段】
上記目的を達成するために、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、前記電子メール送受信手段が前記ローカルエリアネットワークを介しておよび／または前記インターネットを介して所定の電子メールサーバーから前記電子メールを取得する取得時刻、取得時間隔、取得回数を含む電子メール取得状況に関する情報を記憶する電子メール取得状況記憶手段と、前記電子メール取得状況記憶手段によって記憶された電子メール取得状況に関する情報の全部または一部を１または複数の他のファクシミリ装置および／または１または複数の他の情報処理装置へ前記ローカルエリアネットワークを介しておよび／または前記インターネットを介して送信する電子メール取得状況送信手段と、を備えたことを特徴とする。
【０００６】
この発明によれば、他のファクシミリ装置または他の情報処理装置へ、自装置の電子メールの取得状況を容易に伝えることができる。
【０００７】
また、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、前記電子メール送受信手段が前記ローカルエリアネットワークを介しておよび／または前記インターネットを介して所定の電子メールサーバーから前記電子メールを取得する取得時刻、取得時間隔、取得回数を含む電子メール取得状況に関する情報を記憶する電子メール取得状況記憶手段と、前記電子メール取得状況記憶手段によって記憶された電子メール取得状況に関する情報の取得要求情報を、前記ローカルエリアネットワークを介しておよび／または前記インターネットを介して１または複数の他のファクシミリ装置および／または１または複数の他の情報処理装置から受信する取得要求情報受信手段と、前記取得要求情報受信手段によって受信された取得要求情報に基づいて、前記電子メール取得状況記憶手段によって記憶された電子メール取得状況に関する情報の全部または一部を１または複数の前記他のファクシミリ装置および／または１または複数の前記他の情報処理装置へ前記ローカルエリアネットワークを介しておよび／または前記インターネットを介して送信する電子メール取得状況送信手段と、を備えたことを特徴とする。
【０００８】
この発明によれば、他のファクシミリ装置または他の情報処理装置からの要求に応じて、当該他のファクシミリ装置または他の情報処理装置へ、自装置の電子メールの取得状況を容易にかつ効率的に伝えることができる。
【０００９】
また、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、前記電子メール送受信手段が前記ローカルエリアネットワークを介しておよび／または前記インターネットを介して所定の電子メールサーバーから前記電子メールを取得する取得時刻、取得時間隔、取得回数を含む電子メール取得状況に関する情報を記憶する電子メール取得状況記憶手段と、前記電子メール取得状況記憶手段によって記憶された電子メール取得状況に関する情報に基づいて、１または複数の他のファクシミリ装置および／または１または複数の他の情報処理装置へ送信する電子メールを作成する電子メール作成手段と、前記電子メール作成手段によって作成された電子メールを、１または複数の前記他のファクシミリ装置および／または、１または複数の前記他の情報処理装置へ前記ローカルエリアネットワークを介しておよび／または前記インターネットを介して送信する電子メール取得状況送信手段と、を備えたことを特徴とする。
【００１０】
この発明によれば、電子メールをもちいて、他のファクシミリ装置または他の情報処理装置へ、自装置の電子メールの取得状況をより容易に伝えることができる。
【００１１】
また、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、前記電子メール送受信手段が前記ローカルエリアネットワークを介しておよび／または前記インターネットを介して所定の電子メールサーバーから前記電子メールを取得する取得時刻、取得時間隔、取得回数を含む電子メール取得状況に関する情報を記憶する電子メール取得状況記憶手段と、前記電子メール取得状況記憶手段によって記憶された電子メール取得状況に関する情報の取得要求情報を含む第１の電子メールを、前記ローカルエリアネットワークを介しておよび／または前記インターネットを介して１または複数の他のファクシミリ装置および／または、１または複数の他の情報処理装置から受信する取得要求情報受信手段と、前記電子メール取得状況記憶手段によって記憶された電子メール取得状況に関する情報に基づいて、１または複数の前記他のファクシミリ装置および／または１または複数の前記他の情報処理装置へ送信する第２の電子メールを作成する電子メール作成手段と、前記取得要求情報受信手段によって受信された第１の電子メールに含まれた取得要求情報に基づいて、前記電子メール作成手段によって作成された第２の電子メールを１または複数の前記他のファクシミリ装置および／または１または複数の前記他の情報処理装置へ前記ローカルエリアネットワークを介しておよび／または前記インターネットを介して送信する電子メール取得状況送信手段と、を備えたことを特徴とする。
【００１２】
この発明によれば、電子メールをもちいて、他のファクシミリ装置または他の情報処理装置からの要求に応じて、当該他のファクシミリ装置または他の情報処理装置へ、自装置の電子メールの取得状況をより容易かつ効率的に伝えることができる。
【００１３】
また、この発明は、前記電子メール作成手段は、前記電子メール取得状況記憶手段によって記憶された電子メール取得状況に関する情報を前記電子メールまたは前記第２の電子メールのテキストパートに記載することを特徴とする。
【００１４】
この発明によれば、他のファクシミリ装置または他の情報処理装置が受信した情報を印字することしかできない場合であっても当該他の装置の操作者が視覚的に電子メールの取得状況を確認することができる。
【００１５】
また、この発明は、前記電子メール作成手段は、前記電子メール取得状況記憶手段によって記憶された電子メール取得状況に関する情報を前記電子メールまたは前記第２の電子メールの所定のバウンダリに記載することを特徴とする。
【００１６】
この発明によれば、電子メールの取得状況に関する情報を、他のファクシミリ装置または他の情報処理装置においてデータ処理することができる。
【００１７】
また、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報の取得要求情報を、前記ローカルエリアネットワークを介しておよび／または前記インターネットを介して１または複数の前記他のファクシミリ装置および／または、１または複数の前記他の情報処理装置へ送信する取得要求情報送信手段を備えたことを特徴とする。
【００１８】
この発明によれば、他のファクシミリ装置または他の情報処理装置の電子メールの取得情報を容易に要求することができる。
【００１９】
また、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報の取得要求情報を含む電子メールを作成する電子メール作成手段と、前記電子メール作成手段によって作成された電子メールを、前記ローカルエリアネットワークを介しておよび／または前記インターネットを介して１または複数の前記他のファクシミリ装置および／または１または複数の前記他の情報処理装置へ送信する取得要求情報送信手段と、を備えたことを特徴とする。
【００２０】
この発明によれば、他のファクシミリ装置または他の情報処理装置の電子メールの取得情報を、電子メールをもちいて、より容易に要求することができる。
【００２１】
また、この発明は、前記取得要求情報送信手段は、１または複数の前記他のファクシミリ装置および／または１または複数の前記他の情報処理装置の電子メールアドレスが登録された際に前記取得要求情報または前記電子メールを送信することを特徴とする。
【００２２】
この発明によれば、頻繁に画像伝送をおこなう他のファクシミリ装置または他の情報処理装置の電子メールの取得情報を容易に要求することができる。
【００２３】
また、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備え、前記画像情報を出力する出力装置が接続された情報処理装置において、１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報または前記電子メール取得状況に関する情報に基づいて作成された電子メールを、前記ローカルエリアネットワークを介しておよび／または前記インターネットを介して受信する受信手段と、前記受信手段によって受信された電子メール取得状況に関する情報または前記受信手段によって受信された電子メールに含まれる前記電子メール取得状況に関する情報を記憶する記憶手段と、前記記憶手段によって記憶された電子メール取得状況に関する情報を前記出力装置へ送信する送信手段と、を備えたことを特徴とする。
【００２４】
この発明によれば、出力されたリストによって送信先の電子メールの取得状況を容易に確認することができる。
【００２５】
また、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、１または複数の前記他のファクシミリ装置および／または１または複数の前記他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報または前記電子メール取得状況に関する情報に基づいて作成された電子メールを、前記ローカルエリアネットワークを介しておよび／または前記インターネットを介して受信する受信手段と、前記受信手段によって受信された電子メール取得状況に関する情報または前記受信手段によって受信された電子メールに含まれる前記電子メール取得状況に関する情報を、あらかじめ登録された１または複数の他のファクシミリ装置および／または１または複数の他の情報処理装置の電子メールアドレスに対応させて記憶する記憶手段と、を備えたことを特徴とする。
【００２６】
この発明によれば、送信先の電子メールアドレスを特定することによって送信先の電子メールの取得状況を容易に確認することができる。
【００２７】
また、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報または前記電子メール取得状況に関する情報に基づいて作成された電子メールを、前記ローカルエリアネットワークを介しておよび／または前記インターネットを介して受信する受信手段と、前記受信手段によって受信された電子メール取得状況に関する情報または前記受信手段によって受信された電子メールに含まれる前記電子メール取得状況に関する情報を、あらかじめ登録された１または複数の前記他のファクシミリ装置および／または１または複数の前記他の情報処理装置の電子メールアドレスに対応させて記憶する記憶手段と、前記あらかじめ登録された１または複数の前記他のファクシミリ装置および／または１または複数の前記他の情報処理装置の電子メールアドレスの呼び出しがあった場合に、前記電子メールアドレスとともに前記電子メールアドレスに対応する前記記憶手段に記憶された電子メール取得状況に関する情報の全部または一部を表示する表示手段と、を備えたことを特徴とする。
【００２８】
この発明によれば、送信先の電子メールアドレスを選択する際に、当該送信先の電子メールの取得状況を容易に確認することができる。
【００２９】
また、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報または前記電子メール取得状況に関する情報に基づいて作成された電子メールを、前記ローカルエリアネットワークを介しておよび／または前記インターネットを介して受信する受信手段と、前記受信手段によって受信された電子メール取得状況に関する情報または前記受信手段によって受信された電子メールに含まれる前記電子メール取得状況に関する情報を、あらかじめ登録された１または複数の前記他のファクシミリ装置および／または１または複数の前記他の情報処理装置の電子メールアドレスに対応させて記憶する記憶手段と、１または複数の前記他のファクシミリ装置および／または１または複数の前記他の情報処理装置によって画像情報を取得してほしい希望時刻に関する情報を入力する入力手段と、前記入力手段によって入力された希望時刻に関する情報と、前記記憶手段によって記憶された電子メール取得状況に関する情報に含まれる前記電子メールを取得する取得時刻、取得時間隔、取得回数の中のいずれか一つの情報とに基づいて、前記画像情報を、前記一般公衆回線を使用して前記所定のファクシミリ伝送手順によって伝送するか、電子メールに含めて前記ローカルエリアネットワークを介しておよび／または前記インターネットを介して送信をおこなうかを判断する判断手段と、を備えたことを特徴とする。
【００３０】
この発明によれば、送信先に届けたい希望時刻を指定するだけで、その時刻に間に合うように最適な方法を選択して画像を伝送することができる。
【００３１】
また、この発明は、一般公衆回線を使用して所定のファクシミリ伝送手順によって画像情報の伝送をおこなう画像情報伝送手段と、ローカルエリアネットワークを介しておよび／またはインターネットを介して前記画像情報を含む電子メールの送受信をおこなう電子メール送受信手段と、を備えた情報処理装置において、１または複数の他のファクシミリ装置および／または１または複数の他の情報処理装置が前記ローカルエリアネットワークを介しておよび／または前記インターネットを介して所定の電子メールサーバーから前記電子メールを取得する取得時刻、取得時間隔、取得回数を含む電子メール取得状況に関する情報または前記電子メール取得状況に関する情報に基づいて作成された電子メールを、前記ローカルエリアネットワークを介しておよび／または前記インターネットを介して受信する受信手段と、前記受信手段によって受信された電子メール取得状況に関する情報または前記受信手段によって受信された電子メールに含まれる前記電子メール取得状況に関する情報を、あらかじめ登録された１または複数の前記他のファクシミリ装置および／または１または複数の前記他の情報処理装置の電子メールアドレスに対応させて記憶する記憶手段と、を備え、前記画像情報伝送手段は、画像情報を電子メールに含めて前記ローカルエリアネットワークを介しておよび／または前記インターネットを介して送信をおこなった結果、１または複数の前記他のファクシミリ装置および／または１または複数の前記他の情報処理装置が前記電子メール取得状況に関する情報どおりに前記画像情報を含む電子メールを取得しなかった場合に、前記画像情報を前記一般公衆回線を使用して前記所定のファクシミリ伝送手順によって伝送することを特徴とする。
【００３２】
この発明によれば、前記ローカルエリアネットワークを介しておよび／または前記インターネットを介して画像情報の伝送をおこなうように指定した場合であっても、確実に当該画像情報の伝送を実行することができる。
【００３３】
また、この発明は、前記電子メール取得状況に関する情報は、電子メール取得の時刻に関する情報を含むことを特徴とする。
【００３４】
この発明によれば、電子メール取得情報を電子メール取得の時刻で特定することができる。
【００３５】
また、この発明は、前記電子メール取得状況に関する情報は、電子メール取得の時間隔に関する情報を含むことを特徴とする。
【００３６】
この発明によれば、電子メール取得情報を電子メール取得の時間隔で特定することができる。
【００３７】
また、この発明は、前記電子メール取得状況に関する情報は、所定時間における電子メール取得の回数に関する情報を含むことを特徴とする。
【００３８】
この発明によれば、電子メール取得情報を所定時間における電子メール取得の回数で特定することができる。
【００３９】
【発明の実施の形態】
以下に添付図面を参照して、この発明にかかる情報処理装置の好適な実施の形態を詳細に説明する。
【００４０】
〔実施の形態〕
（画像情報伝送システムのシステム構成）
まず、ファクシミリ装置、情報処理装置を含む画像情報伝送システムのシステム構成について説明する。図１は、この発明の実施の形態１にかかる画像情報伝送システムのシステム構成を示す説明図である。
【００４１】
図１に示す画像情報伝送システムにおいて、１００は、インターネットであり、１０１は、ルーター１０２によってインターネット１００に接続されたインターネット・サービス・プロバイダである。インターネット・サービス・プロバイダ１０１は、ルーター１０２をインターネット１００のバックボーンに接続している。
【００４２】
また、１０３は、インターネット・サービス・プロバイダ１０１と専用線で接続された社内ＬＡＮ（Ｌｏｃａｌ  Ａｒｅａ  Ｎｅｔｗｏｒｋ）である。社内ＬＡＮ１０３は、ルーター１０４と、ＷＷＷ（Ｗｏｒｌｄ  Ｗｉｄｅ  Ｗｅｂ）サーバー・ＤＮＳ（Ｄｏｍａｉｎ  Ｎａｍｅ  Ｓｙｓｔｅｍ）サーバー・メールサーバーなどの各種サーバー１０５と、プロキシ・サーバー１０６と、ＤＮＳサーバー・メールサーバー１０７と、ファクシミリ装置（ＦＡＸ）１０８と、情報処理装置（パーソナルコンピュータ（ＰＣ））１０９と、プリンタ１１０と、アクセス・サーバー１１１と、ＴＡ（ターミナル・アダプタ）／モデム１１２と、を含む構成となっている。
【００４３】
さらに、ファクシミリ装置１５２と、情報処理装置（パーソナルコンピュータ（ＰＣ））１５４は、一般公衆回線１５０を介して、ＴＡ／モデム１５１，１５３をもちいて社内ＬＡＮ１０３と接続可能となっている。さらに、情報処理装置１５４には、たとえばＲＳ−２３２ＣやＵＳＢ（Ｕｎｉｖｅｒｓａｌ  Ｓｅｒｉａｌ  Ｂｕｓ）などによってプリンタ１５５が接続されている。
【００４４】
ルーター１０２，１０４は、ＬＡＮどうしやＬＡＮとＷＡＮ（Ｗｉｄｅ  Ａｒｅａ  Ｎｅｔｗｏｒｋ）などを接続するための中継装置であり、一方のネットワーク上を流れるデータ（パケット）をプロトコルから解析し、どの経路で流せばよいか判断して転送をおこなう。
【００４５】
ＷＷＷサーバー・ＤＮＳサーバー・メールサーバーなどの各種サーバー１０５は、社外向けのサーバーである。社外クライアントは、社内ＬＡＮ１０３内のバリア・セグメントに位置するＷＷＷサーバー・ＤＮＳサーバー・メールサーバー１０５にアクセスすることが可能になっている。
【００４６】
ファイアウオールとしてプロキシ・サーバー１０６は、内部ネットワークである社内ＬＡＮ１０３からインターネット接続をおこなう際、セキュリティ確保と高速アクセスを実現するために設置されるサーバーである。内部ネットワークへの不正な侵入を防ぐなどのセキュリティを実現しつつ、内部ネットワークから外部のインターネットへのアクセスを中継、管理するのに利用される。
【００４７】
また、ファクシミリ装置１０８およびパーソナルコンピュータ１０９は、それぞれ社内ＬＡＮ１０３に接続されているのとは別に、通常のファクシミリ装置と同様に図示を省略する一般公衆回線網に接続されている。プリンタ１１０は、ネットワークプリンタであり、社内ＬＡＮ１０３を介して送られてくる情報を受信し、出力（印刷）する。プリンタ１１０は、たとえば、レーザープリンタ、インクジェットプリンタ、サーマルプリンタなどである。
【００４８】
アクセス・サーバー１１１は、社内ＬＡＮ１０３の図示を省略するメインサーバーに接続されている。ファクシミリ装置１５２およびパーソナルコンピュータ１５４は、このアクセス・サーバー１１１を経由して、社内ＬＡＮ１０３内の各種サーバーおよびクライアント（ファクシミリ装置１０８、パーソナルコンピュータ１０９、プリンタ１１０など）にアクセスすることが可能になる。ここで、各種サーバーとしては、コミュニケーションサーバーはもちろんのこと、ＤＮＳサーバー、メールサーバー、ＷＷＷサーバー等のインターネット標準プロトコルにしたがったサービスを享受するためのサーバーである。
【００４９】
より具体的には、ファクシミリ装置１５２、パーソナルコンピュータ１５４は、ＴＡ（Ｔｅｒｍｉｎａｌ  Ａｄａｐｔｅｒ）あるいはモデム１５１，１５３に接続されている。ＴＡ／モデム１５１，１５３は、一般公衆回線１５０を介して、アクセス・サーバー１１１に接続されたＴＡ／モデム１１２とデータの交信をおこなう。したがって、ファクシミリ装置１５２、パーソナルコンピュータ１５４は、ダイヤルアップすることによって、アクセス・サーバー１１１に接続することが可能となる。プリンタ１５５は、たとえば、レーザープリンタ、インクジェットプリンタ、サーマルプリンタなどである。
【００５０】
図２は、この発明の実施の形態１にかかる画像情報伝送システムの別のシステム構成を示す説明図である。なお、図１に示した画像情報伝送システムと同様の構成部については同一の符号を付してその説明を省略する。
【００５１】
図２に示す画像情報伝送システムにおいては、図１に示した画像情報伝送システムの構成の他に、インターネット１００に接続された、インターネット・サービス・プロバイダ１０１とは別のインターネット・サービス・プロバイダ２０１と、そのインターネット・サービス・プロバイダ２０１に一般公衆回線２５０を介して接続されたファクシミリ装置２５２と、パーソナルコンピュータ２５４と、を含む構成となっている。
【００５２】
インターネット・サービス・プロバイダ２０１は、ルーター２０２と、ＷＷＷサーバー・ＤＮＳサーバー・メールサーバーの各種サーバー２０３と、アクセス・サーバー２０４と、ＴＡ／モデム２０５とから構成される。ルーター２０２、ＷＷＷサーバー・ＤＮＳサーバー・メールサーバーの各種サーバー２０３、アクセス・サーバー２０４、ＴＡ／モデム２０５は、それぞれ、図１に示したルーター１０２，１０４、ＷＷＷサーバー・ＤＮＳサーバー・メールサーバーの各種サーバー１０５、アクセス・サーバー１１１、ＴＡ／モデム１１２と同様の構成であるので、それらの説明は省略する。
【００５３】
また、ＴＡ／モデム２５１，２５３、ファクシミリ装置２５２、パーソナルコンピュータ２５４、プリンタ２５５は、それぞれ、図１に示したＴＡ／モデム１５１，１５３、ファクシミリ装置１５２、パーソナルコンピュータ１５４、プリンタ１５５と同様の構成である。
【００５４】
（ファクシミリ装置のハードウエア構成）
つぎに、ファクシミリ装置１０８，１５２，２５２のハードウエア構成について説明する。図３は、この発明の本実施の形態にかかるファクシミリ装置のハードウエア構成を示すブロック図である。
【００５５】
図３のブロック図において、ファクシミリ装置１０８，１５２，２５２は、スキャナ３０１と、プロッタ３０２と、操作表示部３０３と、画像メモリ３０４と、パラメータメモリ３０５と、時計回路３０６と、電子メール制御部３０７と、ＲＯＭ３０８と、ＲＡＭ３０９と、キャラクタジェネレータ３１０と、符号化復号化部３１１と、ＣＰＵ３１２と、通信制御部３１３と、網制御装置３１４とを含む構成となっている。また、各構成部３０１〜３１４は、バス３００によって接続されている。
【００５６】
スキャナ３０１は、所定の解像度で原稿画像を読み取る。また、スキャナ３０１には、原稿センサ３１５が接続されており、原稿センサ３１５が原稿の有無などを検知する。プロッタ３０２は、所定の解像度で画像を記録出力する。また、プロッタ３０２には、用紙センサ３１６が接続されており、用紙センサ３１６が用紙（記録紙）の有無などを検知する。
【００５７】
操作表示部３０３は、ファクシミリ装置１０８，１５２，２５２を操作するための各種操作キーおよび各種の表示器から構成される。具体的には、タッチパネル機能を備えた表示画面（ＬＣＤ（Ｌｉｑｕｉｄ  Ｃｒｙｓｔａｌ  Ｄｉｓｐｌａｙ））などである。
【００５８】
画像メモリ３０４は、スキャナ３０１によって読み込まれた画像データおよびプロッタ３０２によって出力される画像データを一時的に記憶するメモリである。パラメータメモリ３０５は、ファクシミリ装置１０８，１５２，２５２に固有な各種の情報を記憶するメモリである。また、時計回路３０６は、現在時刻情報を出力する。また、パラメータメモリ３０５は、バッテリ３１７に接続され、そのバッテリ３１７から電源の供給をうけ、各種の情報を保持している。
【００５９】
電子メール制御部３０７は、電子メールの送受信を制御する。電子メール制御部３０７については、図４をもちいて後述する。ＲＯＭ３０８は、ブートプログラムなどのプログラムを記憶している。ＲＡＭ３０９は、ＣＰＵ３１２のワークエリアとして使用される。キャラクタジェネレータ３１０は、文字コードを、表示または印字する文字や記号のパターン（形）に変換して出力する。文字や記号のパターンは、たとえば、ＲＯＭ３０８などの記録媒体に記録されている。
【００６０】
符号化復号化部３１１は、画信号を符号化圧縮するとともに、符号化圧縮されている画信号を元の画信号に複合化する。ＣＰＵ３１２は、ファクシミリ装置１０８，１５２，２５２全体の制御を司るとともに、網制御装置３１４の制御も司る。
【００６１】
通信制御部３１３は、グループ３ファクシミリモデムなどによってその機能を実現される。グループ３ファクシミリモデムは、グループ３ファクシミリのモデム機能を実現するものであり、伝送手順信号をやりとりするための低速モデム機能（Ｖ．２１モデム）、主に画像情報をやりとりするための高速モデム機能（Ｖ．１７モデム、Ｖ．３４モデム、Ｖ．２９モデム、Ｖ．２７ｔｅｒモデムなど）を備えている。
【００６２】
網制御装置３１４は、ファクシミリ装置１０８，１５２，２５２を国際電話回線網ＰＳＴＮを含む一般公衆回線網に接続するものであり、自動発着信機能を備えている。
【００６３】
（電子メール制御部の構成）
つぎに、図３に示した電子メール制御部３０７の構成について説明する。図４は、この発明の本実施の形態にかかるファクシミリ装置の電子メール制御部３０７の構成を示すブロック図である。
【００６４】
図４に示すブロック図において、電子メール制御部３０７は、本体とのインタフェース制御部４０１と、ＳＭＴＰ（Ｓｉｍｐｌｅ  Ｍａｉｌ  Ｔｒａｎｓｆｅｒ  Ｐｒｏｔｏｃｏｌ）制御部４０２と、ＰＯＰ（Ｐｏｓｔ  Ｏｆｆｉｃｅ  Ｐｒｏｔｏｃｏｌ）制御部４０３と、ダイヤルアップ用呼制御部４０４と、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）変換制御部４０５と、ＴＣＰ（Ｔｒａｎｓｍｉｓｓｉｏｎ  Ｃｏｎｔｒｏｌ  Ｐｒｏｔｏｃｏｌ）制御部４０６と、ＵＤＰ（Ｕｓｅｒ  Ｄａｔａｇｒａｍ  Ｐｒｏｔｏｃｏｌ）制御部４０７と、ＩＰ（Ｉｎｔｅｒｎｅｔ  Ｐｒｏｔｏｃｏｌ）制御部４０８と、ＰＰＰ（Ｐｏｉｎｔ−ｔｏ−Ｐｏｉｎｔ  Ｐｒｏｔｏｃｏｌ）制御部４０９と、物理制御部４１０と、を含む構成となっている。
【００６５】
本体とのインタフェース制御部４０１は、本体とのインタフェースを司り、電子メールのデータや電子メール送受信を制御するためのデータの送受信をおこなう。図１または図２において示した、ＴＡ／モデム１５１，２５１によって上記機能を実現するようにしてもよい。
【００６６】
ＳＭＴＰ制御部４０２は、インターネット上で電子メールの転送に利用されているプロトコルに基づいて、ユーザーのメールの送信を制御する。また、ＰＯＰ制御部４０３は、インターネットやイントラネット上でメール・ソフトウエアなどを使ってメール・サーバーにアクセスし、電子メールの内容を取り出すためのプロトコルに基づいて、ユーザーのメールの受信を制御する。
【００６７】
ダイヤルアップ用呼制御部４０４は、一般公衆回線１５０，２５０を介してアクセス・サーバー１１１，２０４との通信チャネルの設定、切断などの制御をおこなう。
【００６８】
ＭＩＭＥ変換制御部４０５は、インターネットを通じて様々なデータを送るための拡張仕様の変換制御をおこなう。具体的には、バイナリデータを、たとえばＢａｓｅ６４符号化方法などの所定の変換方法を適用して可読情報（７ビットのキャラクタコード）に変換した情報で電子メールに含める。
【００６９】
ＴＣＰ制御部４０６は、ＯＳＩ（Ｏｐｅｎ  Ｓｙｓｔｅｍ  Ｉｎｔｅｒｃｏｎｎｅｃｔｉｏｎ）基本参照モデルの第４層トランスポート層で働くインターネット標準プロトコルの制御をおこなう。
【００７０】
ＵＤＰ制御部４０７は、ＴＣＰ／ＩＰスイートのトランスポート層プロトコルの一つであるＵＤＰを制御する。
【００７１】
ＩＰ制御部４０８と、ＩＰは第３層ネットワーク層で働くプロトコルを制御する。ＩＰは、ＴＣＰ／ＩＰプロトコル・スイートの中心的なプロトコルで、コネクションレス型のパケット交換をおこなう。
【００７２】
ＰＰＰ制御部４０９は、ポイント・ツー・ポイント接続形式でデータ伝送するためのデータリンク層のプロトコルを制御する。ＰＰＰは、リンク状態（使用しているモデムや回線の状態）に応じた再接続、両端で使用するＩＰアドレスの自動的なネゴシエーション、認証機能や圧縮機能を持つほか、将来ほかのプロトコルもサポートできる。
【００７３】
物理制御部４１０は、ＯＳＩ基本参照モデルの第１層（最下位層）である物理層を制御する。物理層は、データ端末（ＤＴＥ）とデータ伝送機能を持つ回線終端装置（ＤＣＥ）のインタフェースであるＤＴＥ（Ｄａｔａ  Ｔｅｒｍｉｎａｌ  Ｅｑｕｉｐｍｅｎｔ）／  ＤＣＥ（Ｄａｔａ  Ｃｉｒｃｕｉｔ−ｔｅｒｍｉｎａｔｉｎｇ  Ｅｑｕｉｐｍｅｎｔ）インタフェースの物理的、電気的および論理的インタフェース条件を規定している。
【００７４】
ここで、インターネットではＯＳＩ参照モデルのうち、物理層／データリンク層をＥｔｈｅｒｎｅｔとし、トランスポート層／ネットワーク層をＴＣＰ／ＩＰとした通信プロトコルが主流であり、これら通信プロトコルに基づいて送受信されるデータ単位、すなわちデータフレーム（またはデータパケット）は、各通信プロトコルに準じたデータをカプセル化して生成されている。
【００７５】
たとえば、最下層となるＥｔｈｅｒｎｅｔフレームは、ＭＡＣ（Ｍｅｄｉａ  Ａｃｃｅｓｓ  Ｃｏｎｔｒｏｌ）アドレス等を含んだＥｔｈｅｒｎｅｔヘッダ部とＥｔｈｅｒｎｅｔデータ部から構成される。そして、Ｅｔｈｅｒｎｅｔデータ部は、ＩＰアドレス等を含んだＩＰヘッダ部とＩＰデータ部とから構成される。また、ＩＰデータ部は、ポート番号等を含んだＴＣＰヘッダ部とＴＣＰデータ部とから構成される。さらに、ＴＣＰデータ部には、アプリケーション層に位置するＨＴＴＰ（Ｈｙｐｅｒｔｅｘｔ  Ｔｒａｎｓｆｅｒ  Ｐｒｏｔｏｃｏｌ）やＦＴＰ（Ｆｉｌｅ  Ｔｒａｎｓｆｅｒ  Ｐｒｏｔｏｃｏｌ）などのヘッダ部とデータ部から構成される。
【００７６】
また、ＬＡＮやインターネット接続を実現するために必須となるネットワーク機器は、そのレベルに応じて、通信回線上に伝送されているＥｔｈｅｒｎｅｔフレームから、上記した各通信プロトコルのヘッダ部の内容を読み出している。たとえば、スイッチング・ハブは、Ｅｔｈｅｒｎｅｔヘッダ部からＭＡＣアドレスを抽出して経路制御をおこなっており、ルーター１０２，１０４，２０２は、ＩＰヘッダ部からＩＰアドレスを抽出して経路制御をおこなっている。さらに、プロキシ・サーバー１０６では、ＴＣＰヘッダ部からポート番号を抽出してフィルタリングをおこなっている。
【００７７】
（情報処理装置のハードウエア構成）
つぎに、情報処理装置（パーソナルコンピュータ）１０９のハードウエア構成について説明する。図５は、この発明の本実施の形態にかかる情報処理装置１０９のハードウエア構成を示すブロック図である。
【００７８】
図５に示すブロック図において、パーソナルコンピュータ１０９は、ＣＰＵ５０１と、ＲＯＭ５０２と、ＲＡＭ５０３と、ＨＤＤ（ハードディスクドライブ）５０４と、ＨＤ（ハードディスク）５０５と、ＦＤＤ（フロッピーディスクドライブ）５０６と、着脱可能な記録媒体の一例としてのＦＤ（フロッピーディスク）５０７と、ディスプレイ５０８と、ＬＡＮインタフェース５０９と、キーボード５１０と、マウス５１１と、スキャナ５１２と、通信制御部５１３と、を備えている。また、各構成部はバス５００によってそれぞれ接続されている。さらに、通信制御部５１３には、網制御装置５１４が接続されている。
【００７９】
ここで、ＣＰＵ５０１は、パーソナルコンピュータ１０９全体の制御を司る。ＲＯＭ５０２は、ブートプログラムなどのプログラムを記憶している。ＲＡＭ５０３は、ＣＰＵ５０１のワークエリアとして使用される。ＨＤＤ５０４は、ＣＰＵ５０１の制御にしたがってＨＤ５０５に対するデータのリード／ライトを制御する。ＨＤ５０５は、ＨＤＤ５０４の制御で書き込まれたデータを記憶する。
【００８０】
ＦＤＤ５０６は、ＣＰＵ５０１の制御にしたがってＦＤ５０７に対するデータのリード／ライトを制御する。ＦＤ５０７は、ＦＤＤ５０６の制御で書き込まれたデータを記憶する。着脱可能な記録媒体として、ＦＤ５０７の他、ＣＤ−ＲＯＭ（ＣＤ−ＲＷ）、ＭＯ、ＤＶＤなどであってもよい。
【００８１】
ディスプレイ５０８は、カーソル、アイコンあるいはツールボックスをはじめ、文書、画像、機能情報などのデータに関するウインドウ（ブラウザ）を表示する。たとえば、ＣＲＴ、ＴＦＴ液晶ディスプレイ、プラズマディスプレイなどである。ＬＡＮインタフェース５０９は、社内ＬＡＮ１０３のネットワークに接続され、他の情報処理装置やプリンタなどとの情報の送受信を制御する。
【００８２】
キーボード５１０は、文字、数値、各種指示などの入力のためのキーを備え、データ入力をおこなう。マウス５１１は、カーソルの移動や範囲選択、あるいはウインドウの移動やサイズの変更などをおこなう。ポインティングデバイスとして同様の機能を備えるものであれば、トラックボール、ジョイスティックなどであってもよい。
【００８３】
スキャナ５１２は、画像を光学的に読み取る。また、ＯＣＲ機能を搭載し、画像データとして取り込んだ文字をテキストデータに変換することもできる。スキャナ５１２は、通常外付け型のものが主流であり、ＲＳ−２３２ＣやＵＳＢをもちいてパーソナルコンピュータ１０９に接続される。
【００８４】
通信制御部５１３は、グループ３ファクシミリモデムなどによってその機能を実現される。グループ３ファクシミリモデムは、グループ３ファクシミリのモデム機能を実現するものであり、伝送手順信号をやりとりするための低速モデム機能（Ｖ．２１モデム）、主に画像情報をやりとりするための高速モデム機能（Ｖ．１７モデム、Ｖ．３４モデム、Ｖ．２９モデム、Ｖ．２７ｔｅｒモデムなど）を備えている。
【００８５】
網制御装置５１４は、パーソナルコンピュータ１０９を国際電話回線網ＰＳＴＮを含む一般公衆回線網に接続するものであり、自動発着信機能を備えている。
【００８６】
また、図６は、この発明の本実施の形態にかかる情報処理装置１５４，２５４のハードウエア構成を示すブロック図である。図６に示すブロック図において、パーソナルコンピュータ１５４，２５４は、ＣＰＵ６０１と、ＲＯＭ６０２と、ＲＡＭ６０３と、ＨＤＤ（ハードディスクドライブ）６０４と、ＨＤ（ハードディスク）６０５と、ＦＤＤ（フロッピーディスクドライブ）６０６と、着脱可能な記録媒体の一例としてのＦＤ（フロッピーディスク）６０７と、ディスプレイ６０８と、キーボード６０９と、マウス６１０と、スキャナ６１１と、通信制御部６１２と、を備えている。
【００８７】
また、各構成部はバス６００によってそれぞれ接続されている。さらに、バス６００には、ＴＡ／モデム１５１，２５１と、プリンタ１５５，２５５がＲＳ−２３２Ｃ、ＵＳＢなどで接続されている。また、ＴＡ／モデム１５１，２５１は、パーソナルコンピュータ１５４，２５４に内蔵されていてもよい。さらに、通信制御部６１２には、網制御装置６１３が接続されている。
【００８８】
図６に示したハードウエア構成は、図５に示したハードウエア構成と比較して、ＬＡＮインタフェース５０９を備えておらず、その代わりに、ＴＡ／モデム１５１，２５１を介して社内ＬＡＮ１０３またはインターネット１００に接続する点が相違するのみである。したがって、他の構成部はそれぞれ同様であるので、その説明は省略する。
【００８９】
（ファクシミリ装置の機能的構成）
つぎに、ファクシミリ装置１０８，１５２，２５２の機能的構成について説明する。図７および図８は、ファクシミリ装置１５２、２５２の機能的構成を示す機能ブロック図である。また、図９〜１４は、ファクシミリ装置１０８の機能的構成を示す機能ブロック図である。ここで、ファクシミリ装置１５２，２５２を、電子メール取得状況を送信する側のファクシミリ装置とし、ファクシミリ装置１０８を、電子メール取得状況を受信する側のファクシミリ装置とする。
【００９０】
図７において、ファクシミリ装置１５２，２５２は、画像情報伝送部７０１と、電子メール送受信部７０２と、電子メール取得状況記憶部７０３と、電子メール取得状況送信部７０４と、取得要求情報受信部７０５と、を含む構成となっている。
【００９１】
画像情報伝送部７０１は、図示を省略する一般公衆回線（ＰＳＴＮ）を使用して所定のファクシミリ伝送手順によって画像情報の伝送をおこなう。画像情報伝送部７０１は、図３に示した通信制御部３１３および網制御装置３１４によってその機能を実現する。また、電子メール送受信部７０２は、社内ＬＡＮ１０３を介して、インターネット１００を介して、または社内ＬＡＮ１０３およびインターネット１００を介して画像情報を含む電子メールの送受信をおこなう。電子メール送受信部７０２は、図３に示した電子メール制御部３０７によってその機能を実現する。
【００９２】
電子メール取得状況記憶部７０３は、電子メール送受信部７０２が社内ＬＡＮ１０３および／またはインターネットを介して所定のメールサーバー１０５，１０７，２０３から電子メールを取得する電子メール取得状況に関する情報を記憶する。電子メール取得状況に関する情報についての詳細な説明は後述する。電子メール取得状況記憶部７０３は、ＲＡＭ３０９などの記録媒体によってその機能を実現する。
【００９３】
電子メール取得状況送信部７０４は、電子メール取得状況記憶部７０３によって記憶された電子メール取得状況に関する情報の全部または一部をファクシミリ装置１０８またはパーソナルコンピュータ１０９へ社内ＬＡＮ１０３および／またはインターネット１００を介して送信する。このようにして、ファクシミリ装置１５２，２５２は、自装置の電子メールの取得状況をファクシミリ装置１０８、パーソナルコンピュータ１０９へ容易に伝えることができる。電子メール取得状況送信部７０４は、図３に示した電子メール制御部３０７によってその機能を実現する。
【００９４】
取得要求情報受信部７０５は、電子メール取得状況記憶部７０３によって記憶された電子メール取得状況に関する情報の取得要求情報を、社内ＬＡＮ１０３および／またはインターネット１００を介してファクシミリ装置１０８、パーソナルコンピュータ１０９から受信する。上記取得状況要求情報は、電子メール（以下「取得状況要求電子メール」という）として作成され送信されたものを、取得要求情報受信部７０５において受信するようにしてもよい。取得要求情報受信部７０５は、図３に示した電子メール制御部３０７によってその機能を実現する。
【００９５】
その際、電子メール取得状況送信部７０４は、取得要求情報受信部７０５によって受信された取得要求情報（または取得状況要求電子メール）に基づいて、電子メール取得状況記憶部７０３によって記憶された電子メール取得状況に関する情報の全部または一部をファクシミリ装置１０８またはパーソナルコンピュータ１０９へ送信する。このようにして、ファクシミリ装置１５２，２５２は、他のファクシミリ装置１０８または他のパーソナルコンピュータ１０９からの要求に応じて、当該他のファクシミリ装置１０８または他のパーソナルコンピュータ１０９へ、自装置の電子メールの取得状況を容易にかつ効率的に伝えることができる。
【００９６】
図８において、ファクシミリ装置１５２，２５２は、画像情報伝送部７０１と、電子メール送受信部７０２と、電子メール取得状況記憶部７０３と、電子メール取得状況送信部７０４と、取得要求情報受信部７０５と、さらに電子メール作成部８０１を含む構成となっている。すなわち、図７に示したブロック図と比較して、上記電子メール作成部８０１が追加されている。したがって、図８の構成部のうち、図７の各構成部と同様の内容の構成部については、同一の符号を付してその説明を省略する。
【００９７】
電子メール作成部８０１は、電子メール取得状況記憶部７０３によって記憶された電子メール取得状況に関する情報に基づいて、ファクシミリ装置１０８またはパーソナルコンピュータ１０９へ送信する電子メール（以下「取得状況電子メール」という）を作成する。取得状況電子メールの具体的な内容については後述する。電子メール作成部８０１は、図３に示したＲＯＭ３０８、ＲＡＭ３０９その他の記録媒体に記録されたプログラムをＣＰＵ３１２が実行することによってその機能を実現する。
【００９８】
その際、電子メール取得状況送信部７０４は、電子メール作成部８０１によって作成された取得状況電子メールを、ファクシミリ装置１０８またはパーソナルコンピュータ１０９へ送信する。したがって、電子メールをもちいて、他のファクシミリ装置または他の情報処理装置へ、自装置の電子メールの取得状況をより容易に伝えることができる。
【００９９】
また、電子メール作成部８０１は、取得要求情報受信部７０５によって受信された取得要求電子メールの内容に基づいて、取得状況電子メールを作成する。そして、作成された取得状況電子メールを、電子メール取得状況送信部７０４がファクシミリ装置１０８またはパーソナルコンピュータ１０９へ社内ＬＡＮ１０３および／またはインターネット１００を介して送信する。
【０１００】
あるいは、電子メール作成部８０１は、取得要求情報受信部７０５によって取得要求電子メールが取得されたか否かに関係なく、取得状況電子メールを作成して、所定の記憶領域（ＲＡＭ３０９、画像メモリ３０４など）に記憶する。そして、取得要求情報受信部７０５によって取得要求電子メールが取得された場合に、電子メール取得状況送信部７０４が、上記作成され、記憶された取得状況電子メールを、上記取得要求電子メールの内容に基づいて、ファクシミリ装置１０８またはパーソナルコンピュータ１０９へ社内ＬＡＮ１０３および／またはインターネット１００を介して送信するようにしてもよい。
【０１０１】
このように、電子メールをもちいることで、他のファクシミリ装置または他の情報処理装置からの要求に応じて、当該他のファクシミリ装置または他の情報処理装置へ、自装置の電子メールの取得状況をより容易かつ効率的に伝えることができる。
【０１０２】
また、電子メール作成部８０１は、電子メール取得状況記憶部７０３によって記憶された電子メール取得状況に関する情報を取得状況電子メールのテキストパートに記載する。このようにすることで、他のファクシミリ装置または他の情報処理装置が受信した情報を印字することしかできない場合であっても当該他の装置の操作者が視覚的に電子メールの取得状況を確認することができる。取得状況電子メールのテキストパートに記載する詳細な内容については後述する。
【０１０３】
また、電子メール作成部８０１は、電子メール取得状況記憶部７０３によって記憶された電子メール取得状況に関する情報を取得状況電子メールの所定のバウンダリに記載するようにしてもよい。このようにすることで、電子メールの取得状況に関する情報を、他のファクシミリ装置または他の情報処理装置においてデータ処理することができる。取得状況電子メールの所定のバウンダリに記載する詳細な内容についても後述する。
【０１０４】
図９において、ファクシミリ装置１０８は、画像情報伝送部９０１と、電子メール送受信部９０２と、取得要求情報送信部９０３と、を含む構成となっている。画像情報伝送部９０１は、図７、図８に示した画像情報伝送部７０１と同様に、図示を省略する一般公衆回線（ＰＳＴＮ）を使用して所定のファクシミリ伝送手順によって画像情報の伝送をおこなう。画像情報伝送部９０１は、図３に示した通信制御部３１３および網制御装置３１４によってその機能を実現する。
【０１０５】
電子メール送受信部９０２は、図７、図８に示した電子メール送受信部７０２と同様に、社内ＬＡＮ１０３を介して、インターネット１００を介して、または社内ＬＡＮ１０３およびインターネット１００を介して画像情報を含む電子メールの送受信をおこなう。電子メール送受信部９０２は、図３に示した電子メール制御部３０７によってその機能を実現する。
【０１０６】
取得要求情報送信部９０３は、ファクシミリ装置１５２，２５２またはパーソナルコンピュータ１５４，２５４の電子メール取得状況に関する情報の取得要求情報を、社内ＬＡＮ１０３および／またはインターネット１００を介して他のファクシミリ装置１５２，２５２または他の情報処理装置１５４，２５４へ送信する。このようにして、ファクシミリ装置１０８は、他のファクシミリ装置１５２，２５２または他の情報処理装置１５４，２５４の電子メールの取得情報を容易に要求することができる。取得要求情報送信部９０３は、図３に示した電子メール制御部３０７によってその機能を実現する。
【０１０７】
また、取得要求情報送信部９０３は、他のファクシミリ装置１５２，２５２または他のパーソナルコンピュータ１５４，２５４の電子メールアドレスがたとえば、ワンタッチダイヤルキー（短縮ダイヤルも含む）に登録された際に上記取得要求情報を送信するようにしてもよい。
【０１０８】
図１０において、ファクシミリ装置１０８は、画像情報伝送部９０１と、電子メール送受信部９０２と、取得要求情報送信部９０３と、さらに電子メール作成部１００１を含む構成となっている。すなわち、図９に示したブロック図と比較して、上記電子メール作成部１００１が追加されている。したがって、図１０の構成部のうち、図９の各構成部と同様の内容の構成部については、同一の符号を付してその説明を省略する。
【０１０９】
電子メール作成部１００１は、ファクシミリ装置１５２，２５２またはパーソナルコンピュータ１５４，２５４の電子メール取得状況に関する情報を取得するための取得要求情報を含む取得要求電子メールを作成する。電子メール作成部１００１は、図３に示したＲＯＭ３０８、ＲＡＭ３０９その他の記録媒体に記録されたプログラムをＣＰＵ３１２が実行することによってその機能を実現する。このようにして、他のファクシミリ装置１５２，２５２または他のパーソナルコンピュータ１５４，２５４の電子メールの取得情報を、電子メールをもちいて、より容易に要求することができる。
【０１１０】
その際、取得要求情報送信部９０３は、他のファクシミリ装置１５２，２５２または他のパーソナルコンピュータ１５４，２５４の電子メールアドレスがたとえば、ワンタッチダイヤルキーに登録された際に上記取得要求電子メールを送信するようにしてもよい。
【０１１１】
図１１において、ファクシミリ装置１０８は、画像情報伝送部９０１と、電子メール送受信部９０２と、電子メール取得状況受信部１１０１と、電子メール取得状況記憶部１１０２と、電子メール取得状況出力部１１０３と、を含む構成となっている。なお、図１１の構成部のうち、図９、図１０の各構成部と同様の内容の構成部については、同一の符号を付してその説明を省略する。
【０１１２】
電子メール取得状況受信部１１０１は、電子メール取得状況に関する情報または電子メール取得状況に関する情報に基づいて作成された取得状況電子メールを、社内ＬＡＮ１０３および／またはインターネット１００を介して受信する。電子メール取得状況受信部１１０１は、図３に示した電子メール制御部３０７によってその機能を実現する。
【０１１３】
電子メール取得状況記憶部１１０２は、電子メール取得状況受信部１１０１によって受信された電子メール取得状況に関する情報または電子メール取得状況受信部１１０１によって受信された取得状況電子メールに含まれる電子メール取得状況に関する情報を記憶する。電子メール取得状況記憶部１１０２は、ＲＡＭ３０９などの記録媒体によってその機能を実現する。
【０１１４】
電子メール取得状況出力部１１０３は、電子メール取得状況記憶部１１０２によって記憶された電子メール取得状況に関する情報をリスト出力する。電子メール取得状況出力部１１０３は、たとえばプロッタ３０２によってその機能を実現する。このようにして、出力されたリストによって送信先の電子メールの取得状況を容易に確認することができる。
【０１１５】
図１２において、ファクシミリ装置１０８は、画像情報伝送部９０１と、電子メール送受信部９０２と、電子メール取得状況受信部１１０１と、電子メール取得状況記憶部１１０２と、電子メール取得状況表示部１２０１と、を含む構成となっている。なお、図１２の構成部のうち、図９、図１０の各構成部と同様の内容の構成部については、同一の符号を付してその説明を省略する。
【０１１６】
電子メール取得状況受信部１１０１は、電子メール取得状況に関する情報または電子メール取得状況に関する情報に基づいて作成された取得状況電子メールを、社内ＬＡＮ１０３および／またはインターネット１００を介して受信する。電子メール取得状況受信部１１０１は、図３に示した電子メール制御部３０７によってその機能を実現する。
【０１１７】
電子メール取得状況記憶部１１０２は、電子メール取得状況受信部１１０１によって受信された電子メール取得状況に関する情報または電子メール取得状況受信部１１０１によって受信された取得状況電子メールに含まれる電子メール取得状況に関する情報をあらかじめ登録されたファクシミリ装置１５２，２５２またはパーソナルコンピュータ１５４，２５４の電子メールアドレスに対応させて記憶する。電子メール取得状況記憶部１１０２は、ＲＡＭ３０９などの記録媒体によってその機能を実現する。このようにして、送信先の電子メールアドレスを特定することによって送信先の電子メールの取得状況を容易に確認することができる。
【０１１８】
電子メール取得状況表示部１２０１は、上記あらかじめ登録されたファクシミリ装置１５２，２５２またはパーソナルコンピュータ１５４，２５４の電子メールアドレスの呼び出しがあった場合に、上記電子メールアドレスとともに上記電子メールアドレスに対応する電子メール取得状況記憶部１１０２に記憶された電子メール取得状況に関する情報の全部または一部を表示する。電子メール取得状況表示部１２０１は、たとえば、図３に示した操作表示部３０３によってその機能を実現する。このようにして、送信先の電子メールアドレスを選択する際に、当該送信先の電子メールの取得状況を容易に確認することができる。
【０１１９】
図１３において、ファクシミリ装置１０８は、画像情報伝送部９０１と、電子メール送受信部９０２と、電子メール取得状況受信部１１０１と、電子メール取得状況記憶部１１０２と、希望時刻入力部１３０１と、判断部１３０２と、を含む構成となっている。なお、図１３の構成部のうち、図９、図１０の各構成部と同様の内容の構成部については、同一の符号を付してその説明を省略する。
【０１２０】
電子メール取得状況受信部１１０１は、電子メール取得状況に関する情報または電子メール取得状況に関する情報に基づいて作成された取得状況電子メールを、社内ＬＡＮ１０３および／またはインターネット１００を介して受信する。電子メール取得状況受信部１１０１は、図３に示した電子メール制御部３０７によってその機能を実現する。
【０１２１】
電子メール取得状況記憶部１１０２は、電子メール取得状況受信部１１０１によって受信された電子メール取得状況に関する情報または電子メール取得状況受信部１１０１によって受信された取得状況電子メールに含まれる電子メール取得状況に関する情報をあらかじめ登録されたファクシミリ装置１５２，２５２またはパーソナルコンピュータ１５４，２５４の電子メールアドレスに対応させて記憶する。電子メール取得状況記憶部１１０２は、ＲＡＭ３０９などの記録媒体によってその機能を実現する。
【０１２２】
希望時刻入力部１３０１は、ファクシミリ装置１５２，２５２またはパーソナルコンピュータ１５４，２５４によって画像情報を取得してほしい希望時刻に関する情報を入力する。希望時刻入力部１３０１は、操作表示部３０３のテンキーあるいはタッチパネルなどによってその機能を実現する。希望時刻入力部１３０１についての詳細な内容は後述する。
【０１２３】
判断部１３０２は、希望時刻入力部１３０１によって入力された希望時刻に関する情報と、電子メール取得状況記憶部１１０２によって記憶された電子メール取得状況に関する情報とに基づいて、画像情報を、図示を省略する一般公衆回線を使用して上記所定のファクシミリ伝送手順によって伝送するか、あるいは、電子メールに含めて社内ＬＡＮ１０３および／またはインターネット１００を介して送信をおこなうかを判断する。
【０１２４】
判断部１３０２は、図３に示したＲＯＭ３０８、ＲＡＭ３０９その他の記録媒体に記録されたプログラムをＣＰＵ３１２が実行することによってその機能を実現する。このようにして、送信先に届けたい希望時刻を指定するだけで、その時刻に間に合うように最適な方法を選択して画像を伝送することができる。なお、判断部１３０２の具体的内容についての説明は後述する。
【０１２５】
図１４において、ファクシミリ装置１０８は、画像情報伝送部９０１と、電子メール送受信部９０２と、電子メール取得状況受信部１１０１と、電子メール取得状況記憶部１１０２と、を含む構成となっている。
【０１２６】
画像情報伝送部９０１は、図示を省略する一般公衆回線（ＰＳＴＮ）を使用して所定のファクシミリ伝送手順によって画像情報の伝送をおこなう。画像情報伝送部９０１は、図３に示した通信制御部３１３および網制御装置３１４によってその機能を実現する。
【０１２７】
電子メール送受信部９０２は、社内ＬＡＮ１０３を介して、インターネット１００を介して、または社内ＬＡＮ１０３およびインターネット１００を介して画像情報を含む電子メールの送受信をおこなう。電子メール送受信部９０２は、図３に示した電子メール制御部３０７によってその機能を実現する。
【０１２８】
電子メール取得状況受信部１１０１は、電子メール取得状況に関する情報または電子メール取得状況に関する情報に基づいて作成された取得状況電子メールを、社内ＬＡＮ１０３および／またはインターネット１００を介して受信する。電子メール取得状況受信部１１０１は、図３に示した電子メール制御部３０７によってその機能を実現する。
【０１２９】
電子メール取得状況記憶部１１０２は、電子メール取得状況受信部１１０１によって受信された電子メール取得状況に関する情報または電子メール取得状況受信部１１０１によって受信された取得状況電子メールに含まれる電子メール取得状況に関する情報をあらかじめ登録されたファクシミリ装置１５２，２５２またはパーソナルコンピュータ１５４，２５４の電子メールアドレスに対応させて記憶する。電子メール取得状況記憶部１１０２は、ＲＡＭ３０９などの記録媒体によってその機能を実現する。
【０１３０】
そして、画像情報伝送部９０１が、画像情報を電子メールに含めて社内ＬＡＮ１０３および／またはインターネット１００を介して送信をおこなった結果、ファクシミリ装置１５２，２５２またはパーソナルコンピュータ１５４，２５４が上記電子メール取得状況に関する情報どおりに上記画像情報を含む電子メールを取得しなかった場合に、上記画像情報を図示を省略する一般公衆回線を使用して上記所定のファクシミリ伝送手順によって伝送する。このようにして、社内ＬＡＮ１０３および／またはインターネット１００を介して画像情報の伝送をおこなうように指定した場合であっても、確実に当該画像情報の伝送を実行することができる。
【０１３１】
（情報処理装置の機能的構成）
つぎに、情報処理装置（パーソナルコンピュータ）１０９，１５４，２５４の機能的構成について説明する。図１５および図１６は、パーソナルコンピュータ１５４，２５４の機能的構成を示す機能ブロック図である。また、図１７〜２２は、パーソナルコンピュータ１０９の機能的構成を示す機能ブロック図である。ここで、パーソナルコンピュータ１５４，２５４を、電子メール取得状況を送信する側の情報処理装置とし、パーソナルコンピュータ１０９を、電子メール取得状況を受信する側の情報処理装置とする。
【０１３２】
図１５において、パーソナルコンピュータ１５４，２５４は、画像情報伝送部１５０１と、電子メール送受信部１５０２と、電子メール取得状況記憶部１５０３と、電子メール取得状況送信部１５０４と、取得要求情報受信部１５０５と、を含む構成となっている。
【０１３３】
画像情報伝送部１５０１は、図示を省略する一般公衆回線（ＰＳＴＮ）を使用して所定のファクシミリ伝送手順によって画像情報の伝送をおこなう。画像情報伝送部１５０１は、図６に示した通信制御部６１２および網制御装置６１３によってその機能を実現する。また、電子メール送受信部１５０２は、社内ＬＡＮ１０３を介して、インターネット１００を介して、または社内ＬＡＮ１０３およびインターネット１００を介して画像情報を含む電子メールの送受信をおこなう。電子メール送受信部１５０２は、図６に示したＴＡ／モデム１５１，２５１によってその機能を実現する。
【０１３４】
電子メール取得状況記憶部１５０３は、電子メール送受信部１５０２が社内ＬＡＮ１０３および／またはインターネット１００を介して所定のメールサーバー１０５，１０７，２０３から電子メールを取得する電子メール取得状況に関する情報を記憶する。電子メール取得状況に関する情報についての詳細な説明は後述する。電子メール取得状況記憶部１５０３は、ＲＡＭ６０３、ＨＤ６０５、ＦＤ６０７などの記録媒体によってその機能を実現する。
【０１３５】
電子メール取得状況送信部１５０４は、電子メール取得状況記憶部１５０３によって記憶された電子メール取得状況に関する情報の全部または一部をファクシミリ装置１０８またはパーソナルコンピュータ１０９へ社内ＬＡＮ１０３および／またはインターネット１００を介して送信する。このようにして、パーソナルコンピュータ１５４，２５４は、自装置の電子メールの取得状況をファクシミリ装置１０８、パーソナルコンピュータ１０９へ容易に伝えることができる。電子メール取得状況送信部１５０４は、図６に示したＴＡ／モデム１５１，２５１によってその機能を実現する。
【０１３６】
取得要求情報受信部１５０５は、電子メール取得状況記憶部１５０３によって記憶された電子メール取得状況に関する情報の取得要求情報を、社内ＬＡＮ１０３および／またはインターネット１００を介してファクシミリ装置１０８、パーソナルコンピュータ１０９から受信する。上記取得状況要求情報は、電子メール（以下「取得状況要求電子メール」という）として作成され送信されたものを、取得要求情報受信部１５０５において受信するようにしてもよい。取得要求情報受信部１５０５は、図６に示したＴＡ／モデム１５１，２５１によってその機能を実現する。
【０１３７】
その際、電子メール取得状況送信部１５０４は、取得要求情報受信部１５０５によって受信された取得要求情報（または取得状況要求電子メール）に基づいて、電子メール取得状況記憶部１５０３によって記憶された電子メール取得状況に関する情報の全部または一部をファクシミリ装置１０８またはパーソナルコンピュータ１０９へ送信する。このようにして、パーソナルコンピュータ１５４，２５４は、他のファクシミリ装置１０８または他のパーソナルコンピュータ１０９からの要求に応じて、当該他のファクシミリ装置１０８または他のパーソナルコンピュータ１０９へ、自装置の電子メールの取得状況を容易にかつ効率的に伝えることができる。
【０１３８】
図１６において、パーソナルコンピュータ１５４，２５４は、画像情報伝送部１５０１と、電子メール送受信部１５０２と、電子メール取得状況記憶部１５０３と、電子メール取得状況送信部１５０４と、取得要求情報受信部１５０５と、さらに電子メール作成部１６０１を含む構成となっている。すなわち、図１５に示したブロック図と比較して、上記電子メール作成部１６０１が追加されている。したがって、図１６の構成部のうち、図１５の各構成部と同様の内容の構成部については、同一の符号を付してその説明を省略する。
【０１３９】
電子メール作成部１６０１は、電子メール取得状況記憶部１５０３によって記憶された電子メール取得状況に関する情報に基づいて、ファクシミリ装置１０８またはパーソナルコンピュータ１０９へ送信する電子メール（以下「取得状況電子メール」という）を作成する。取得状況電子メールの具体的な内容については後述する。電子メール作成部１６０１は、図６に示したＲＯＭ６０２、ＲＡＭ６０３、ＨＤ６０５、ＦＤ６０７などの記録媒体に記録されたプログラムをＣＰＵ６０１が実行することによってその機能を実現する。
【０１４０】
その際、電子メール取得状況送信部１５０４は、電子メール作成部１６０１によって作成された取得状況電子メールを、ファクシミリ装置１０８またはパーソナルコンピュータ１０９へ送信する。したがって、電子メールをもちいて、他のファクシミリ装置または他の情報処理装置へ、自装置の電子メールの取得状況をより容易に伝えることができる。
【０１４１】
また、電子メール作成部１６０１は、取得要求情報受信部１５０５によって受信された取得要求電子メールの内容に基づいて、取得状況電子メールを作成する。そして、作成された取得状況電子メールを、電子メール取得状況送信部１５０４がファクシミリ装置１０８またはパーソナルコンピュータ１０９へ社内ＬＡＮ１０３および／またはインターネット１００を介して送信する。
【０１４２】
あるいは、電子メール作成部１６０１は、取得要求情報受信部１５０５によって取得要求電子メールが取得されたか否かに関係なく、取得状況電子メールを作成し、所定の記憶領域（ＲＡＭ６０３、ＨＤ６０５、ＦＤ６０７）に記憶しておく。そして、取得要求情報受信部１５０５によって取得要求電子メールが取得された場合に、電子メール取得状況送信部１５０４が、上記作成され、記憶された取得状況電子メールを、上記取得要求電子メールの内容に基づいて、ファクシミリ装置１０８またはパーソナルコンピュータ１０９へ社内ＬＡＮ１０３および／またはインターネット１００を介して送信するようにしてもよい。
【０１４３】
このように、電子メールをもちいることで、他のファクシミリ装置または他の情報処理装置からの要求に応じて、当該他のファクシミリ装置または他の情報処理装置へ、自装置の電子メールの取得状況をより容易かつ効率的に伝えることができる。
【０１４４】
また、電子メール作成部１６０１は、電子メール取得状況記憶部１５０３によって記憶された電子メール取得状況に関する情報を取得状況電子メールのテキストパートに記載する。このようにすることで、他のファクシミリ装置または他の情報処理装置が受信した情報を印字することしかできない場合であっても当該他の装置の操作者が視覚的に電子メールの取得状況を確認することができる。取得状況電子メールのテキストパートに記載する詳細な内容については後述する。
【０１４５】
また、電子メール作成部１６０１は、電子メール取得状況記憶部１５０３によって記憶された電子メール取得状況に関する情報を取得状況電子メールの所定のバウンダリに記載するようにしてもよい。このようにすることで、電子メールの取得状況に関する情報を、他のファクシミリ装置または他の情報処理装置においてデータ処理することができる。取得状況電子メールの所定のバウンダリに記載する詳細な内容についても後述する。
【０１４６】
図１７において、パーソナルコンピュータ１０９は、画像情報伝送部１７０１と、電子メール送受信部１７０２と、取得要求情報送信部１７０３と、を含む構成となっている。画像情報伝送部１７０１は、図１５、図１６に示した画像情報伝送部１５０１と同様に、図示を省略する一般公衆回線（ＰＳＴＮ）を使用して所定のファクシミリ伝送手順によって画像情報の伝送をおこなう。画像情報伝送部１５０１は、図５に示した通信制御部５１３および網制御装置５１４によってその機能を実現する。
【０１４７】
電子メール送受信部１７０２は、図１５、図１６に示した電子メール送受信部１５０２と同様に、社内ＬＡＮ１０３を介して、インターネット１００を介して、または社内ＬＡＮ１０３およびインターネット１００を介して画像情報を含む電子メールの送受信をおこなう。電子メール送受信部１７０２は、図５に示したＬＡＮインタフェース５０９によってその機能を実現する。
【０１４８】
取得要求情報送信部１７０３は、ファクシミリ装置１５２，２５２またはパーソナルコンピュータ１５４，２５４の電子メール取得状況に関する情報の取得要求情報を、社内ＬＡＮ１０３および／またはインターネット１００を介して他のファクシミリ装置１５２，２５２または他の情報処理装置１５４，２５４へ送信する。このようにして、パーソナルコンピュータ１０９は、他のファクシミリ装置１５２，２５２または他の情報処理装置１５４，２５４の電子メールの取得情報を容易に要求することができる。取得要求情報送信部１７０３は、図５に示したＬＡＮインタフェース５０９によってその機能を実現する。
【０１４９】
また、取得要求情報送信部１７０３は、他のファクシミリ装置１５２，２５２または他のパーソナルコンピュータ１５４，２５４の電子メールアドレスが、たとえばソフトウエアアプリケーションに登録された際に上記取得要求情報を送信するようにしてもよい。
【０１５０】
図１８において、パーソナルコンピュータ１０９は、画像情報伝送部１７０１と、電子メール送受信部１７０２と、取得要求情報送信部１７０３と、さらに電子メール作成部１８０１を含む構成となっている。すなわち、図１７に示したブロック図と比較して、上記電子メール作成部１８０１が追加されている。したがって、図１８の構成部のうち、図１７の各構成部と同様の内容の構成部については、同一の符号を付してその説明を省略する。
【０１５１】
電子メール作成部１８０１は、ファクシミリ装置１５２，２５２またはパーソナルコンピュータ１５４，２５４の電子メール取得状況に関する情報を取得するための取得要求情報を含む取得要求電子メールを作成する。電子メール作成部１８０１は、図５に示したＲＯＭ５０２、ＲＡＭ５０３、ＨＤ５０５、ＦＤ５０７などの記録媒体に記録されたプログラムをＣＰＵ５０１が実行することによってその機能を実現する。このようにして、他のファクシミリ装置１５２，２５２または他のパーソナルコンピュータ１５４，２５４の電子メールの取得情報を、電子メールをもちいて、より容易に要求することができる。
【０１５２】
その際、取得要求情報送信部１７０３は、他のファクシミリ装置１５２，２５２または他のパーソナルコンピュータ１５４，２５４の電子メールアドレスがたとえば、アプリケーションソフトウエアに登録された際に上記取得要求電子メールを送信するようにしてもよい。
【０１５３】
図１９において、パーソナルコンピュータ１０９は、画像情報伝送部１７０１と、電子メール送受信部１７０２と、電子メール取得状況受信部１９０１と、電子メール取得状況記憶部１９０２と、電子メール取得状況送信部１９０３と、を含む構成となっている。なお、図１９の構成部のうち、図１７、図１８の各構成部と同様の内容の構成部については、同一の符号を付してその説明を省略する。
【０１５４】
電子メール取得状況受信部１９０１は、電子メール取得状況に関する情報または電子メール取得状況に関する情報に基づいて作成された取得状況電子メールを、社内ＬＡＮ１０３および／またはインターネット１００を介して受信する。電子メール取得状況受信部１９０１は、図５に示したＬＡＮインタフェース５０９によってその機能を実現する。
【０１５５】
電子メール取得状況記憶部１９０２は、電子メール取得状況受信部１９０１によって受信された電子メール取得状況に関する情報または電子メール取得状況受信部１９０１によって受信された取得状況電子メールに含まれる電子メール取得状況に関する情報を記憶する。電子メール取得状況記憶部１９０２は、ＲＡＭ５０３、ＨＤ５０５、ＦＤ５０７などの記録媒体によってその機能を実現する。
【０１５６】
電子メール取得状況送信部１９０３は、電子メール取得状況記憶部１９０２によって記憶された電子メール取得状況に関する情報をリスト出力するために、社内ＬＡＮ１０３を経由してプリンタ１１０へ送信する。電子メール取得状況送信部１９０３は、図５に示したＬＡＮインタフェース５０９によってその機能を実現する。このようにして、プリンタ１１０が出力されたリストによって送信先の電子メールの取得状況を容易に確認することができる。
【０１５７】
図２０において、パーソナルコンピュータ１０９は、画像情報伝送部１７０１と、電子メール送受信部１７０２と、電子メール取得状況受信部１９０１と、電子メール取得状況記憶部１９０２と、電子メール取得状況表示部２００１と、を含む構成となっている。なお、図２０の構成部のうち、図１７、図１８の各構成部と同様の内容の構成部については、同一の符号を付してその説明を省略する。
【０１５８】
電子メール取得状況受信部１９０１は、電子メール取得状況に関する情報または電子メール取得状況に関する情報に基づいて作成された取得状況電子メールを、社内ＬＡＮ１０３および／またはインターネット１００を介して受信する。電子メール取得状況受信部１９０１は、図５に示したＬＡＮインタフェース５０９によってその機能を実現する。
【０１５９】
電子メール取得状況記憶部１９０２は、電子メール取得状況受信部１９０１によって受信された電子メール取得状況に関する情報または電子メール取得状況受信部１９０１によって受信された取得状況電子メールに含まれる電子メール取得状況に関する情報をあらかじめ登録されたファクシミリ装置１５２，２５２またはパーソナルコンピュータ１５４，２５４の電子メールアドレスに対応させて記憶する。電子メール取得状況記憶部１９０２は、ＲＡＭ５０３、ＨＤ５０５、ＦＤ５０７などの記録媒体によってその機能を実現する。このようにして、送信先の電子メールアドレスを特定することによって送信先の電子メールの取得状況を容易に確認することができる。
【０１６０】
電子メール取得状況表示部２００１は、上記あらかじめ登録されたファクシミリ装置１５２，２５２またはパーソナルコンピュータ１５４，２５４の電子メールアドレスの呼び出しがあった場合に、上記電子メールアドレスとともに上記電子メールアドレスに対応する電子メール取得状況記憶部１９０２に記憶された電子メール取得状況に関する情報の全部または一部を表示する。電子メール取得状況表示部２００１は、たとえば、図５に示したディスプレイ５０８によってその機能を実現する。このようにして、送信先の電子メールアドレスを選択する際に、当該送信先の電子メールの取得状況を容易に確認することができる。
【０１６１】
図２１において、パーソナルコンピュータ１０９は、画像情報伝送部１７０１と、電子メール送受信部１７０２と、電子メール取得状況受信部１９０１と、電子メール取得状況記憶部１９０２と、希望時刻入力部２１０１と、判断部２１０２と、を含む構成となっている。なお、図２１の構成部のうち、図１７、図１８の各構成部と同様の内容の構成部については、同一の符号を付してその説明を省略する。
【０１６２】
電子メール取得状況受信部１９０１は、電子メール取得状況に関する情報または電子メール取得状況に関する情報に基づいて作成された取得状況電子メールを、社内ＬＡＮ１０３および／またはインターネット１００を介して受信する。電子メール取得状況受信部１９０１は、図５に示したＬＡＮインタフェース５０９によってその機能を実現する。
【０１６３】
電子メール取得状況記憶部１９０２は、電子メール取得状況受信部１９０１によって受信された電子メール取得状況に関する情報または電子メール取得状況受信部１９０１によって受信された取得状況電子メールに含まれる電子メール取得状況に関する情報をあらかじめ登録されたファクシミリ装置１５２，２５２またはパーソナルコンピュータ１５４，２５４の電子メールアドレスに対応させて記憶する。電子メール取得状況記憶部１９０２は、ＲＡＭ５０３、ＨＤ５０５、ＦＤ５０８などの記録媒体によってその機能を実現する。
【０１６４】
希望時刻入力部２１０１は、ファクシミリ装置１５２，２５２またはパーソナルコンピュータ１５４，２５４によって画像情報を取得してほしい希望時刻に関する情報を入力する。希望時刻入力部２１０１は、図５に示したキーボード５１０、マウス５１１などによってその機能を実現する。希望時刻入力部２１０１についての詳細な内容は後述する。
【０１６５】
判断部２１０２は、希望時刻入力部２１０１によって入力された希望時刻に関する情報と、電子メール取得状況記憶部１９０２によって記憶された電子メール取得状況に関する情報とに基づいて、画像情報を、図示を省略する一般公衆回線を使用して上記所定のファクシミリ伝送手順によって伝送するか、あるいは、電子メールに含めて社内ＬＡＮ１０３および／またはインターネット１００を介して送信をおこなうかを判断する。
【０１６６】
判断部２１０２は、図３に示したＲＯＭ５０２、ＲＡＭ５０３、ＨＤ５０５、ＦＤ５０７などの記録媒体に記録されたプログラムをＣＰＵ５０１が実行することによってその機能を実現する。このようにして、送信先に届けたい希望時刻を指定するだけで、その時刻に間に合うように最適な方法を選択して画像を伝送することができる。なお、判断部２１０２の具体的内容についての説明は後述する。
【０１６７】
図２２において、パーソナルコンピュータ１０９は、画像情報伝送部１７０１と、電子メール送受信部１７０２と、電子メール取得状況受信部１９０１と、電子メール取得状況記憶部１９０２と、を含む構成となっている。
【０１６８】
画像情報伝送部１７０１は、図示を省略する一般公衆回線（ＰＳＴＮ）を使用して所定のファクシミリ伝送手順によって画像情報の伝送をおこなう。画像情報伝送部１５０１は、図５に示した通信制御部５１３および網制御装置５１４によってその機能を実現する。
【０１６９】
電子メール送受信部１７０２は、社内ＬＡＮ１０３を介して、インターネット１００を介して、または社内ＬＡＮ１０３およびインターネット１００を介して画像情報を含む電子メールの送受信をおこなう。電子メール送受信部１７０２は、図３に示した電子メール制御部３０７によってその機能を実現する。
【０１７０】
電子メール取得状況受信部１９０１は、電子メール取得状況に関する情報または電子メール取得状況に関する情報に基づいて作成された取得状況電子メールを、社内ＬＡＮ１０３および／またはインターネット１００を介して受信する。電子メール取得状況受信部１９０１は、図５に示したＬＡＮインタフェース５０９によってその機能を実現する。
【０１７１】
電子メール取得状況記憶部１９０２は、電子メール取得状況受信部１９０１によって受信された電子メール取得状況に関する情報または電子メール取得状況受信部１９０１によって受信された取得状況電子メールに含まれる電子メール取得状況に関する情報をあらかじめ登録されたファクシミリ装置１５２，２５２またはパーソナルコンピュータ１５４，２５４の電子メールアドレスに対応させて記憶する。電子メール取得状況記憶部１９０２は、ＲＡＭ５０３、ＨＤ５０５、ＦＤ５０７などの記録媒体によってその機能を実現する。
【０１７２】
そして、画像情報伝送部１７０１が、画像情報を電子メールに含めて社内ＬＡＮ１０３および／またはインターネット１００を介して送信をおこなった結果、ファクシミリ装置１５２，２５２またはパーソナルコンピュータ１５４，２５４が上記電子メール取得状況に関する情報どおりに上記画像情報を含む電子メールを取得しなかった場合に、上記画像情報を図示を省略する一般公衆回線を使用して上記所定のファクシミリ伝送手順によって伝送する。このようにして、社内ＬＡＮ１０３および／またはインターネット１００を介して画像情報の伝送をおこなうように指定した場合であっても、確実に当該画像情報の伝送を実行することができる。
【０１７３】
（電子メールの構成）
つぎに、取得状況電子メールの構成について説明する。取得状況電子メールは、メールヘッダとメールボディから構成されている。図２３は、この発明の補実施の形態にかかるファクシミリ装置または情報処理装置によって送信される取得状況電子メールの構成のうちのヘッダ部分を示す説明図である。
【０１７４】
図２３において、メールヘッダには、（１）「Ｘ−Ｍａｉｌｅｒ」、（２）「Ｍｉｍｅ−ｖｅｒｓｉｏｎ」、（３）「Ｃｏｎｔｅｎｔ−ｔｙｐｅ」、（４）「Ｄａｔｅ」、（５）「Ｔｏ」、（６）「Ｃｃ」、（７）「Ｂｃｃ」、（８）「Ｆｒｏｍ」、（９）「Ｓｕｂｊｅｃｔ」、（１０）「Ｍｅｓｓａｇｅ−ＩＤ」のそれぞれのデータを含む。
【０１７５】
（１）「Ｘ−Ｍａｉｌｅｒ」は、Ｘ−Ｍａｉｌｅｒの種類に関するデータが記載されている。たとえば、「ＩＣ  ＦＡＸ  ｖｅｒｓｉｏｎ  ｘ．ｘ（ｘ．ｘ＝１．０）」などである。また、（２）「Ｍｉｍｅ−ｖｅｒｓｉｏｎ」には、ＭＩＭＥのバージョンに関するデータが記載されている。たとえば、「ｙ．ｙ（ｙ．ｙ＝１．０）」などである。
【０１７６】
（３）「Ｃｏｎｔｅｎｔ−ｔｙｐｅ」には、「ｍｕｌｔｉｐａｒｔ／ｍｉｘｅｄ；ｂｏｕｎｄａｒｙ＝“−−ＩＣＦＡＸ＿ａａａａａａ−−”とし、６桁のＭＡＣアドレス（「ａａａａａａ」と４桁のランダム値（「ｚｚｚｚ」）が記載される。また、（４）「Ｄａｔｅ」には、時刻情報が記載される。たとえば、「０１  Ｊａｎ  ０９：００：０６  ＋０９００」などである。
【０１７７】
（５）「Ｔｏ」には、送信先メールアドレスが記載される。この送信先メールアドレスは複数記載することで同報機能を実現できる。その際は、送信先メールアドレスをカンマ、あるいはセミコロンで区切り併記する。ただし、メール送信形態によって一つのみに制限される場合もある。
【０１７８】
（６）「Ｃｃ」には、コピーの送信先であるＣｃ（Ｃａｒｂｏｎ  Ｃｏｐｙ）送信先メールアドレスが記載される。通知メール（中継結果通知メール／エラー通知メール）を送信するとき、管理者アドレスが登録されている場合に設定する。
【０１７９】
（７）「Ｂｃｃ」には、コピーの送信先であるＢｃｃ（Ｂｌｉｎｄ  Ｃａｒｂｏｎ  Ｃｏｐｙ）送信先メールアドレスが記載される。すべての電子メール送信において、バックアップメールアドレスが登録されている場合に設定する。
【０１８０】
（８）「Ｆｒｏｍ」には、送信元メールアドレスが記載される。すなわち、自局メールアドレスを設定する。また、（９）「Ｓｕｂｊｅｃｔ」には、件名が記載される。本件に登録されているＣＳＩ、ＲＴＩ、ユーザーコード名称、ユーザーから設定される件名入力などによって、形式が異なる。
【０１８１】
（１０）「Ｍｅｓｓａｇｅ−ＩＤ」には、通常のメールの場合、「＜“日時情報”“ランダム情報１”ＩＣＦＡＸ−Ｘ“ランダム情報２”−Ｘ“ランダム情報２”＠“ドメイン名”＞」が記載される。ここで、「日時情報」には、１９９９年５月１２日２１時１３分１０秒であれば、「−１９９９０５１２２２１３１０」と記載される。また、「ランダム情報１」には、ランダムな２バイトのＡＳＣＩＩ文字が記載される。また、「ランダム情報２」には、ランダムな５バイトのＡＳＣＩＩ文字が記載される。
【０１８２】
また、「ドメイン名」には、ユーザーが設定したドメイン名（たとえば、ｈｏｎｓｙａ．ｒｉｃｏｈ．ｃｏ．ｊｐ）が記載される。ドメイン名が未設定の場合は、ＩＰアドレス（たとえば、［１３３．１３９．６１．１１］）が記載される。
【０１８３】
図２４は、この発明の本実施の形態にかかるファクシミリ装置または情報処理装置によって送信される取得状況電子メールの構成のうちのボディ部分を示す説明図である。電子メールのボディ部分は、内容が文字コードのみあるいはＭＩＭＥ変換情報のみといったように１種類であっても、常にマルチパート形式で構成される。
【０１８４】
図２４の説明図においては、中継依頼領域（パート）２４００と、それに引き続き最初のバウンダリ文字列「−−−−ＩＣＦＡＸ＿ａａａａａａｚｚｚｚｚ−−−−」２４０１と続く。そして、各パートごとにバウンダリ文字列「−−−−ＩＣＦＡＸ＿ａａａａａａｚｚｚｚｚ−−−−」２４０３，２４０５，２４０７，２４０９，２４１１が記載され、ボディ部分の最後には最後のバウンダリ文字列「−−−−ＩＣＦＡＸ＿ａａａａａａｚｚｚｚｚ−−−−」２４１３が記載される。
【０１８５】
また、ボディの内容がＡＳＣＩＩ文字列の場合には、「Ｃｏｎｔｅｎｔ−ｔｙｐｅ：ｔｅｘｔ／ｐｌａｉｎ；ｃｈａｒｓｅｔ＝“ｕｓ−ａｓｃｉｉ”」２４０２と記載される。同様に、ボディの内容が日本語文字コードを含む場合には、「Ｃｏｎｔｅｎｔ−ｔｙｐｅ：ｔｅｘｔ／ｐｌａｉｎ；ｃｈａｒｓｅｔ＝“ＩＳＯ−２０２２−ＪＰ”」２４０６と記載される。同様に、ボディの内容が欧州特殊文字コードを含む場合には、「Ｃｏｎｔｅｎｔ−ｔｙｐｅ：ｔｅｘｔ／ｐｌａｉｎ；ｃｈａｒｓｅｔ＝“ＩＳＯ−８８５９−１”」「Ｃｏｎｔｅｎｔ−Ｔｒａｎｓｆｅｒ−Ｅｎｃｏｄｉｎｇ：  ｑｕｏｔｅｄ−Ｐｒｉｎｔａｂｌｅ」２４０８と記載される。
【０１８６】
また、ボディの内容がＭＩＭＥ変換されたＤＣＸファイルの場合には、「Ｃｏｎｔｅｎｔ−ｔｙｐｅ：ａｐｐｌｉｃａｔｉｏｎ／ｏｃｔｅｔ−ｓｔｒｅａｍ；  ｎａｍｅ＝“ＦＡＸ．ＤＣＸ”」「Ｃｏｎｔｅｎｔ−Ｔｒａｎｓｆｅｒ−Ｅｎｃｏｄｉｎｇ：ｂａｓｅ６４」「Ｃｏｎｔｅｎｔ−Ｄｅｓｃｒｉｐｔｉｏｎ：“ＦＡＸ．ＤＣＸ”」２４１０と記載される。
【０１８７】
同様に、ボディの内容がＭＩＭＥ変換されたＴＩＦＦ−Ｆファイルの場合には、「Ｃｏｎｔｅｎｔ−ｔｙｐｅ：ｉｍａｇｅ／ｔｉｆ；  ｎａｍｅ＝“ＦＡＸ．ＴＩＦ”」「Ｃｏｎｔｅｎｔ−Ｔｒａｎｓｆｅｒ−Ｅｎｃｏｄｉｎｇ：ｂａｓｅ６４」「Ｃｏｎｔｅｎｔ−Ｄｅｓｃｒｉｐｔｉｏｎ：“ＦＡＸ．ＴＩＦ”」２４１２と記載される。
【０１８８】
さらに、ビューアーのＵＲＬサイト通知など、送信先がインターネットファクシミリの場合であって、受信側でメッセージを削除したい場合は、「Ｃｏｎｔｅｎｔ−ｔｙｐｅ：ｔｅｘｔ／ｐｌａｉｎ；ｃｈａｒｓｅｔ＝“ｕｓ−ａｓｃｉｉ”」「Ｃｏｎｔｅｎｔ−Ｘ−ＩＣＦＡＸ：  ｉｇｎｏｒｅ  ｍｅｓｓａｇｅ」２４０４と記載する。これは、ボディの内容がＡＳＣＩＩ文字列の場合に限らず、ボディの内容が日本語文字コードを含む場合、ボディの内容が欧州特殊文字コードを含む場合であっても同様である。
【０１８９】
送信するメールボディは上記の任意の組み合わせによって構成される。通常の文書送信ではＤＣＸパートまたはＴＩＦＦ−Ｆパートのみの構成となる。また、通知メール送信では、文字パートのみが中継結果通知メールで、文書添付がある場合はＤＣＸパートまたはＴＩＦＦ−Ｆパートも存在する。また、中継依頼メールでは、中継依頼パート２４００と、ＤＣＸパートまたはＴＩＦＦ−Ｆパートの組み合わせとなる。
【０１９０】
このような構成において、中継依頼パート２４００は、中継依頼送信のためのコードを格納しているが、ここに、ＡＳＣＩＩ文字列によって記載された電子メールの取得状況に関する情報を格納することによって、相手側のファクシミリ装置または情報処理装置（パーソナルコンピュータ）に電子メールの取得状況を通知することができる。
【０１９１】
また、ボディの内容がＡＳＣＩＩ文字列の場合「Ｃｏｎｔｅｎｔ−ｔｙｐｅ：ｔｅｘｔ／ｐｌａｉｎ；ｃｈａｒｓｅｔ＝“ｕｓ−ａｓｃｉｉ”」２４０２、ボディの内容が日本語文字コードを含む場合「Ｃｏｎｔｅｎｔ−ｔｙｐｅ：ｔｅｘｔ／ｐｌａｉｎ；ｃｈａｒｓｅｔ＝“ＩＳＯ−２０２２−ＪＰ”」２４０６、ボディの内容が欧州特殊文字コードを含む場合「Ｃｏｎｔｅｎｔ−ｔｙｐｅ：ｔｅｘｔ／ｐｌａｉｎ；ｃｈａｒｓｅｔ＝“ＩＳＯ−８８５９−１”」「Ｃｏｎｔｅｎｔ−Ｔｒａｎｓｆｅｒ−Ｅｎｃｏｄｉｎｇ：  ｑｕｏｔｅｄ−Ｐｒｉｎｔａｂｌｅ」２４０８の各パートに電子メールの取得状況を記載することによって、相手側のファクシミリ装置または情報処理装置（パーソナルコンピュータ）にプレーンテキストとして電子メールの取得状況を通知することができる。その具体的な内容は図２５をもちいて後述する。
【０１９２】
（電子メールの取得状況の内容）
つぎに、電子メールの取得状況の具体的内容について説明する。電子メールの取得状況として考えられるのは、まず、「取得時刻」すなわちメールサーバー１０５，１０７，２０３にダイヤルアップする時刻がある。つぎに、「時間隔」すなわち所定の時間の間隔ごとにダイヤルアップするものである。さらに、「回数」すなわち所定時間（たとえば１日）の間に何回ダイヤルアップするかを定めるものである。
【０１９３】
図２５は、この発明の本実施の形態にかかるファクシミリ装置または情報処理装置（またはこの情報処理装置に接続されたプリンタ）によって出力されたワンタッチダイヤルキー宛先リストの一例を示す説明図である。図２５においては、３件のワンタッチダイヤルキーの宛先が登録されている。そして登録されたワンタッチダイヤルキーの宛先には、それぞれ、「ワンタッチダイヤルキーの割付番号（Ｎｏ．）」と、「相手先名称」、「メールアドレス」と、さらに、「メール取得タイミング」と、が印字されている。
【０１９４】
ここで、メール取得タイミングとして、Ｎｏ．０１の「リコーカナガワ」には「１０時３０分、１６時３０分」と記載されている。これは、Ｎｏ．０１のリコーカナガワのファクシミリ装置１５２，２５２またはパーソナルコンピュータ１５４，２５４が、一日に１０時３０分、１６時３０分の２回だけダイヤルアップをもちいてメールサーバーに接続することを示している。時刻については、分単位でユーザーが任意に設定することができる。
【０１９５】
また、メール取得タイミングとして、Ｎｏ．０２の「リコートウキョウ」には「９時００分〜１７時００分：１時間間隔」と記載されている。これは、Ｎｏ．０２のリコートウキョウのファクシミリ装置１５２，２５２またはパーソナルコンピュータ１５４，２５４が、開始時間９時００分から終了時間１７時００分の間、１時間間隔でダイヤルアップをもちいてメールサーバーに接続することを示している。
【０１９６】
したがって、９時００分、１０時００分、１１時００分、１２時００分、１３時００分、１４時００分、１５時００分、１６時００分、１７時００分の合計９回ダイヤルアップをもちいてメールサーバーに接続される。開始時間、終了時間、時間隔については、ユーザーにおいて任意に設定することができる。
【０１９７】
また、メール取得タイミングとして、Ｎｏ．０３の「リコーヨコハマ」には「１回／日」と記載されている。これは、Ｎｏ．０３のリコーヨコハマのファクシミリ装置１５２，２５２またはパーソナルコンピュータ１５４，２５４が、１日に１回、ダイヤルアップをもちいてメールサーバーに接続することを示している。したがって、１日のうち、特定されないいずれかの時刻にダイヤルアップをもちいてメールサーバーに接続される。
【０１９８】
また、「午前１回、午後１回」と設定することもできる。すなわち、正午までのうち、特定されないいずれかの時刻にダイヤルアップをもちいてメールサーバーに接続される。同様に正午後のうち、特定されないいずれかの時刻にダイヤルアップをもちいてメールサーバーに接続される。このように所定時間における電子メール取得の回数に関する情報を電子メール取得状況に関する情報として含めることができる。
【０１９９】
（操作表示部の内容）
つぎに、操作表示部３０３の内容について説明する。図２６〜図３７は、この発明の本実施の形態にかかるファクシミリ装置の操作表示部の内容を示す説明図である。このうち、図２６〜図２９は、相手方のファクシミリ装置１５２，２５２またはパーソナルコンピュータ１５４，２５４の電子メール取得時間の表示例について示している。
【０２００】
図２６において、操作表示部３０３は、たとえば、ＬＣＤ２６００と、ワンタッチダイヤルキー２６０１と、テンキー２６０２と、「Ｙｅｓ」キー２６０３と、「Ｎｏ」キー２６０４、「スタート」キー２６０５を含む各種キーとから構成される。
【０２０１】
まず、図２６において、「ファックスデキマス  １００％  １０：００  ゲンコウヲセット  マタハ  アテサキニュウリョク」２６００が表示され、その指示にしたがって、原稿をセットし、送信先をワンタッチダイヤルキー２６０１のうち、「アテサキ２」のキーを押下する。そうすると、図２７に示すように、ＬＣＤ２７００に、宛先（アテサキ）２のメールアドレス「ｔｏｋｙｏ＠ｒｉｃｏｈ．ｃｏ．ｊｐ」が表示されるとともに、「ジコクカクニン  ［ＹＥＳ］  ＮＯ」が表示される。通常はデフォルトとして、ＹＥＳの方がハイライトとなっている。
【０２０２】
そして、電子メールの取得状況（時刻）の確認を希望する場合は、複数存在する操作キーのうち割り当てられた「Ｙｅｓ」キー２６０３を押下することによって、上記［ＹＥＳ］を選択することができる。また、ＬＣＤ２７００がタッチパネル機能を備えている場合は、表示されている［Ｙｅｓ」の表示領域を指などで接触（押下）することによって選択させることにより、［ＹＥＳ］［ＮＯ］のいずれかを選択することができる。
【０２０３】
そうすると、図２８に示すように、ＬＣＤ２８００に、「１０：００〜１７：００  １Ｈカンカク」が表示される。これによって、相手先ファクシミリ装置１５２，２５２またはパーソナルコンピュータ１５４，２５４の電子メールの取得状況を知ることができる。
【０２０４】
さらに、図２８のＬＣＤ２８００において、「キンキュウ（ｑｕｅｓｉｏｎ  ｍａｒｋ）」が表示され、［ＹＥＳ］を選択することによって、図２９のＬＣＤ２９００に示すように、ファクシミリ番号「０３−１２３−４５６７」が表示され、かつ「ファックスニ  キリカエマス」「アテサキ２      カイシ＝スタート」が表示される。そして、この状態で、スタートキー２６０５が押下されることによって、「０３−１２３−４５６７」へダイヤルアップし、通常のファクシミリによる画像伝送を開始する。
【０２０５】
図３０〜図３３は、送信希望時間を入力して送信方法を選択する場合の表示例について示している。
【０２０６】
図２６において、「ファックスデキマス  １００％  １０：００  ゲンコウヲセット  マタハ  アテサキニュウリョク」２６００が表示され、その指示にしたがって、原稿をセットし、送信先をワンタッチダイヤルキー２６０１のうち、「アテサキ２」のキーを押下する。そうすると、図３０に示すように、ＬＣＤ３０００に、宛先（アテサキ）２の相手先名称「２  リコートウキョウ」が表示されるとともに、送信希望時刻のガイダンス「ソウシンキボウジコク［１０：００］」が表示される。送信希望時刻の設定前は、現在の時間（１０：００）が表示される。
【０２０７】
そして、送信希望時刻をテンキー２６０２またはタッチパネルをもちいて設定する。図３１のＬＣＤ３１００には、送信希望時刻を「１０：３０」に設定した状態を示す。そして、相手側のファクシミリ装置１５２，２５２またはパーソナルコンピュータ１５４，２５４のつぎの電子メール取得時刻が「１０：３０」以降である場合は、電子メールでは間に合わないので、図３２に示すＬＣＤ３２００にはファクシミリ番号「２  ０３−１２３−４５６７」を表示する。そして、この状態で、スタートキー２６０５が押下されることによって、「０３−１２３−４５６７」へダイヤルアップし、通常のファクシミリによる画像伝送を開始する。
【０２０８】
一方、相手側のファクシミリ装置１５２，２５２またはパーソナルコンピュータ１５４，２５４のつぎの電子メール取得時刻が「１０：３０」以前である場合は、電子メールでも間に合うので、図３３に示すＬＣＤ３３００にはファクシミリ番号の代わりにメールアドレス「ｔｏｋｙｏ＠ｒｉｃｏｈ．ｃｏ．ｊｐ」を表示する。そして、この状態で、スタートキー２６０５が押下されることによって、「ｔｏｋｙｏ＠ｒｉｃｏｈ．ｃｏ．ｊｐ」へ電子メールの送信を開始する。
【０２０９】
図３４〜図３７は、電子メール取得時間が自動通知される場合の表示例について示している。まず、相手先登録手順を起動して、メールアドレスを入力する。図３４のＬＣＤ３４００には、メールアドレスが入力途中であることを示している。つぎに、メールアドレス入力完了後、相手先名称を入力する。図３５のＬＣＤ３５００には、相手先名称が入力途中であることを示している。
【０２１０】
そして、相手先名称の入力が完了すると、つぎに、図３６のＬＣＤ３６００に示すように、「メールジュシンジコクヲツウチシマスカ（ｑｕｅｓｉｏｎ  ｍａｒｋ）」「［Ｙｅｓ］  Ｎｏ」と表示され、ここで、自端末の電子メール受信状況（時刻）に関する情報を登録した相手先に通知するかどうかを選択させる。
【０２１１】
ここで、［Ｙｅｓ］が起動された場合は、図３７のＬＣＤ３７００に示すように、「メールジュシンジコクヲ  ツウチシマス」と表示し、電子メール受信状況に関する情報をメールアドレス「ｔｏｋｙｏ＠ｒｉｃｏｈ．ｃｏ．ｊｐ」へ通知する手順を起動する。
【０２１２】
（画像情報伝送方法の処理の手順）
つぎに、本実施の形態にかかる画像情報伝送方法における各種処理の手順について説明する。図３８〜図４７は、この発明の本実施の形態にかかる画像情報伝送方法における各種処理手順内容を示すフローチャートである。
【０２１３】
図３８は、電子メール取得状況に関する情報の送信処理の手順を示すフローチャートである。図３８のフローチャートにおいて、まず、ユーザーによって電子メール取得状況が設定される（ステップＳ３８０１）。電子メール取得状況の設定は、取得時刻、取得時間隔、取得回数などの取得方法がそれぞれ操作表示部３０３またはディスプレイ５０８に表示され、それらの中から一つの取得方法が選択され、具体的数値（時刻、時間隔、回数）が入力されることによりおこなわれる。
【０２１４】
つぎに、設定された電子メール取得状況に関する情報を上述した所定の記憶領域に記憶する（ステップＳ３８０２）。その後、ステップＳ３８０２において記憶された電子メール取得状況に関する情報に基づいて、取得状況電子メールを作成する（ステップＳ３８０３）。
【０２１５】
ここで、図示は省略するが、取得状況電子メールが作成された後に、電子メール取得状況が再設定され、それによって、電子メール取得状況が変更された場合は、上記ステップＳ３８０２およびステップＳ３８０３の各処理を再度おこなうことで、取得状況電子メールを再度作成する。再度作成する場合に、前回作成した取得状況電子メールに上書きするようにしてもよい。そうすることによって、他のファクシミリ装置１０８，１５２，２５２またはパーソナルコンピュータ１０９，１５４，２５４には、最新の情報のみを常に送信することができるようになる。
【０２１６】
その後、電子メール取得状況に関する情報の取得要求情報または取得要求電子メールを他のファクシミリ装置１０８，１５２，２５２またはパーソナルコンピュータ１０９，１５４，２５４から受信するのを待って（ステップＳ３８０４）、受信した場合（ステップＳ３８０４：Ｙｅｓ）は、ステップＳ３８０３において作成した取得状況電子メールを送信し（ステップＳ３８０５）、処理を終了する。
【０２１７】
また、取得状況電子メールの作成は、電子メール取得状況に関する情報の取得要求情報または取得要求電子メールを他のファクシミリ装置１０８，１５２，２５２またはパーソナルコンピュータ１０９，１５４，２５４から受信した後であってもよい。すなわち、図３９のフローチャートにおいて、まず、ユーザーによって電子メール取得状況が設定される（ステップＳ３９０１）。
【０２１８】
つぎに、設定された電子メール取得状況に関する情報を上述した所定の記憶領域に記憶する（ステップＳ３９０２）。
【０２１９】
ここで、図示は省略するが、設定された電子メール取得状況に関する情報が所定の記憶領域に記憶された後に、電子メール取得状況が再設定され、それによって、電子メール取得状況が変更された場合は、上記ステップＳ３９０２の処理を再度おこなうことで、電子メール取得状況に関する情報を再度記憶する。再度記憶する場合に、前回記憶した電子メール取得状況に関する情報に上書きするようにしてもよい。そうすることによって、他のファクシミリ装置１０８，１５２，２５２またはパーソナルコンピュータ１０９，１５４，２５４には、最新の情報のみを常に送信することができるようになる。
【０２２０】
その後、電子メール取得状況に関する情報の取得要求情報または取得要求電子メールを他のファクシミリ装置１０８，１５２，２５２またはパーソナルコンピュータ１０９，１５４，２５４から受信するのを待って（ステップＳ３９０３）、受信した場合（ステップＳ３９０３：Ｙｅｓ）は、ステップＳ３９０２において記憶された電子メール取得状況に関する情報に基づいて、取得状況電子メールを作成する（ステップＳ３９０４）。そして、ステップＳ３９０４において作成した取得状況電子メールを送信し（ステップＳ３９０５）、処理を終了するようにしてもよい。
【０２２１】
図４０は、図３８に示した電子メール取得状況の設定（ステップＳ３８０１）、または、図３９に示した電子メール取得状況の設定（ステップＳ３９０１）の具体的な処理手順を示すフローチャートである。図４０のフローチャートにおいて、まず、電子メール取得状況を設定するか否かを判断する（ステップＳ４００１）。ここで、設定しない場合（ステップＳ４００１：Ｎｏ）は、何もせずに、一連の処理を終了する。
【０２２２】
一方、ステップＳ４００１において、電子メール取得状況を設定する場合（ステップＳ４００１：Ｙｅｓ）は、つぎに、時刻を指定することによって電子メール取得状況を設定する場合（ステップＳ４００２：Ｙｅｓ）は、入力された電子メール取得時刻に関する情報（複数可）を所定の記憶領域に記憶し（ステップＳ４００３）、一連の処理を終了する。
【０２２３】
図４１は、図３８に示した取得状況電子メールの作成（ステップＳ３８０３）、または、図３９に示した取得状況電子メールの作成（ステップＳ３９０４）の具体的な処理手順を示すフローチャートである。図４１のフローチャートにおいて、まず、取得状況電子メールを作成するか否かを判断し（ステップＳ４１０１）、作成しない場合（ステップＳ４１０１：Ｎｏ）は、何もせずに、処理を終了する。
【０２２４】
一方、ステップＳ４１０１において、取得状況電子メールを作成する場合（ステップＳ４１０１：Ｙｅｓ）は、つぎに、電子メールの取得状況に関する情報をテキストパートに埋め込むか否かを判断する（ステップＳ４１０２）。ここで、テキストパートに埋め込む場合（ステップＳ４１０２：Ｙｅｓ）は、上述したテキストパートに電子メール取得状況に関する情報（取得時刻、取得時間隔、取得回数などのうちいずれか一つ）を該当するテキストパートに記載（埋め込み）し（ステップＳ４１０３）、その後、一連の処理を終了する。
【０２２５】
また、ステップＳ４１０２においてテキストパートに埋め込まない場合（ステップＳ４１０２：Ｎｏ）は、つぎに、バウンダリに埋め込むか否かを判断する（ステップＳ４１０４）。そして、バウンダリに埋め込まない場合（ステップＳ４１０４：Ｎｏ）は、何もせずに、一連の処理を終了する。一方、バウンダリに埋め込む場合（ステップＳ４１０４：Ｙｅｓ）は、上述したテキストパートに電子メール取得状況に関する情報（取得時刻、取得時間隔、取得回数などのうちいずれか一つ）を該当するバウンダリ（上述のとおり、たとえば、最初のバウンダリ文字列の前）に記載（埋め込み）し（ステップＳ４１０５）、その後、一連の処理を終了する。
【０２２６】
図４２は、ワンタッチダイヤルキーの登録処理の際の取得要求電子メールの送信に関する手順の内容を示すフローチャートである。図４２のフローチャートにおいて、まず、ワンタッチダイヤルキーの登録処理がおこなわれたか否かを判断する（ステップＳ４２０１）。
【０２２７】
そして、登録処理がおこなわれるのを待って、登録処理がおこなわれた場合（ステップＳ４２０１：Ｙｅｓ）は、つぎに、登録された相手方のファクシミリ装置１０８，１５２，２５２またはパーソナルコンピュータ１０９，１５４，２５４の電子メールの取得状況に関する情報を要求するか否かを判断する（ステップＳ４２０２）。これは、たとえば、ワンタッチダイヤルキーの登録処理の際に、操作表示部３０３のＬＣＤなどにその旨を表示して、取得要求するか否かをユーザーに問うて、その回答を入力させるようにすることで判断することができる。
【０２２８】
ステップＳ４２０２において、取得要求しないと判断した場合（ステップＳ４２０２：Ｎｏ）は、何もしないで、一連の処理を終了する。一方、取得要求すると判断した場合（ステップＳ４２０２：Ｙｅｓ）は、つぎに、取得要求電子メールを作成し（ステップＳ４２０３）、作成した取得要求電子メールを送信し（ステップＳ４２０４）、その後、一連の処理を終了する。このようにすることで、取得要求の操作手続をより効率的におこなうことができる。
【０２２９】
図４３は、取得状況に関する情報の取得処理手順の内容を示すフローチャートである。図４３のフローチャートにおいて、まず、電子メールを受信したか否かを判断し（ステップＳ４３０１）、電子メールを受信するのを待って、電子メールを受信した場合（ステップＳ４３０１：Ｙｅｓ）は、つぎに、受信した電子メールが取得状況電子メールか否かを判断する（ステップＳ４３０２）。
【０２３０】
ここで、取得状況電子メールでない場合（ステップＳ４３０２：Ｎｏ）は、通常の電子メールの受信処理を起動する（ステップＳ４３０３）。一方、取得状況電子メールである場合（ステップＳ４３０２：Ｙｅｓ）は、相手先情報とともに、電子メール取得状況に関する情報を記憶（格納）する（ステップＳ４３０４）。
【０２３１】
その後、表示要求があるのを待って（ステップＳ４３０５）、表示要求があった場合（ステップＳ４３０５：Ｙｅｓ）は、つぎに、その表示要求がＬＣＤなどへの表示要求であるか否かを判断する（ステップ４３０６）。ここで、ＬＣＤなどへの表示要求である場合（ステップＳ４３０６：Ｙｅｓ）は、電子メール取得状況に関する情報を、たとえば図２８に示すように表示し（ステップＳ４３０７）、処理を終了する。
【０２３２】
一方、ステップＳ４３０６において、ＬＣＤなどへの表示要求でない場合（ステップＳ４３０６：Ｎｏ）は、つぎに、リスト出力であるか否かを判断する（ステップＳ４３０８）。そして、相手先情報とともに格納されている電子メール取得状況に関する情報を、たとえば図２５に示すようにリスト出力し（ステップＳ４３０９）、処理を終了する。
【０２３３】
図４４は、取得状況に関する情報の取得処理手順の別の内容を示すフローチャートである。図４４のフローチャートにおいて、まず、電子メールを受信したか否かを判断し（ステップＳ４４０１）、電子メールを受信するのを待って、電子メールを受信した場合（ステップＳ４４０１：Ｙｅｓ）は、つぎに、受信した電子メールが取得状況電子メールか否かを判断する（ステップＳ４４０２）。
【０２３４】
ここで、取得状況電子メールでない場合（ステップＳ４４０２：Ｎｏ）は、通常の電子メールの受信処理を起動する（ステップＳ４４０３）。一方、取得状況電子メールである場合（ステップＳ４４０２：Ｙｅｓ）は、相手先情報とともに、電子メール取得状況に関する情報を記憶（格納）する（ステップＳ４４０４）。
【０２３５】
つぎに、上記相手先情報が自装置のワンタッチダイヤルキー２６０１などに登録されているか否かを判断する（ステップＳ４４０５）。そして、登録されている場合（ステップＳ４４０５：Ｙｅｓ）は、ワンタッチダイヤルキー２６０１の登録情報と関連付けて上記電子メール取得状況に関する情報を記憶（格納）する（ステップＳ４４０６）。一方、登録されていない場合（ステップＳ４４０５：Ｎｏ）は、何もしない。
【０２３６】
その後、受信した電子メールを出力し（ステップＳ４４０７）、すべての処理を終了する。その際、取得状況電子メールである場合は、当該電子メールを出力させることなく、登録処理のみをおこなうようにしてもよい。こうすることによって、無用な電子メールの出力を回避することができる。
【０２３７】
図４５は、ワンタッチダイヤルキー２６０１などをもちいて送信先を特定する場合の処理手順の内容を示すフローチャートである。図４５のフローチャートにおいて、まず、ワンタッチダイヤルキー２６０１が押下されたか否かを判断する（ステップＳ４５０１）。ここで、ワンタッチダイヤルキー２６０１が押下されるのを待って、押下された場合（ステップＳ４５０１：Ｙｅｓ）は、つぎに、電子メール取得状況に関する情報がすでに格納されているか否かを判断する（ステップＳ４５０２）。
【０２３８】
ここで、電子メール取得状況に関する情報が格納されている場合（ステップＳ４５０２：Ｙｅｓ）は、格納されている情報の全部または一部をＬＣＤなどに表示する（ステップＳ４５０３）。一方、電子メール取得状況に関する情報が格納されていない場合（ステップＳ４５０２：Ｎｏ）は、何もしない。
【０２３９】
そして、送信指示があったか否かを判断し（ステップＳ４５０４）、送信指示があった場合（ステップＳ４５０４：Ｙｅｓ）は、その指示にしたがって送信処理をおこなう（ステップＳ４５０５）。一方、送信指示がなかった場合（ステップＳ４５０４：Ｎｏ）は、何もせずに処理を終了する。
【０２４０】
図４６は、送信処理手順の内容を示すフローチャートである。図４６のフローチャートにおいて、まず、送信先を指定する（ステップＳ４６０１）。送信先は、ワンタッチダイヤルキー２６０１や、テンキー２６０２をもちいて相手先に関する情報（ファクシミリ番号、電子メールアドレス）を入力することによっておこなうことができる。
【０２４１】
つぎに、送信希望時刻が入力されたか否かを判断する（ステップＳ４６０２）。ここで、送信希望時刻が入力されなかった場合（ステップＳ４６０２：Ｎｏ）は、何もせずに、ステップＳ４６０５へ移行し、電子メール送信をおこなう（ステップＳ４６０５）。
【０２４２】
一方、送信希望時刻が入力された場合（ステップＳ４６０２：Ｙｅｓ）は、入力された送信希望時刻と、相手先装置がつぎに電子メールを取得する時刻とを比較する（ステップＳ４６０３）。そして、比較の結果、つぎの電子メール取得時刻が、送信希望時刻よりも後の場合（ステップＳ４６０４：Ｙｅｓ）は、一般公衆網をもちいてファクシミリ送信をおこなう（ステップＳ４６０６）。上記比較の結果、送信希望時刻と同時刻または前の場合（ステップＳ４６０６：Ｎｏ）は、電子メール送信をおこなう（ステップＳ４６０５）。
【０２４３】
なお、ステップＳ４６０２において、送信希望時刻が入力されなかった場合（ステップＳ４６０２：Ｎｏ）に、電子メールを送信する（ステップＳ４６０５）としたが、その際、電子メール送信またはファクシミリ送信のどちらにするか、ユーザー（操作者）に選択画面を表示して選択させるようにしてもよい。
【０２４４】
図４７は、電子メールの最小処理手順の内容を示すフローチャートである。図４７のフローチャートにおいて、まず、電子メールを送信し（ステップＳ４７０１）、その後、受信確認要求に対する応答の受信を待つ（ステップＳ４７０２）。ここで、受信確認要求に対する応答の受信があった場合（ステップＳ４７０２：Ｙｅｓ）は、何もせずにすべての処理を終了する。
【０２４５】
一方、受信確認要求に対する応答を受信していない場合（ステップＳ４７０２：Ｎｏ）は、つぎに、所定時間が経過したか否かを判断する（ステップＳ４７０３）。所定時間とは、たとえば、相手方装置の電子メール取得予定時刻から、受信確認要求に対する応答待ち時間を算出することによって決定することができる。ここで、所定時間が経過していない場合（ステップＳ４７０３：Ｎｏ）は、ステップＳ４７０２へ移行する。そして、ステップＳ４７０２およびステップＳ４７０３を繰り返しおこない、ステップＳ４７０３において、所定時間が経過した場合（ステップＳ４７０３：Ｙｅｓ）は、つぎに、再送手順を開始する（ステップＳ４７０４）。
【０２４６】
そして、再送手順として電子メール送信を使用するか否かを判断する（ステップＳ４７０５）。この判断方法は、たとえば、ユーザーに選択画面を表示し、そこから選択させるようにすることが考えられる。ここで、再送手順として電子メール送信を使用すると判断した場合（ステップＳ４７０５：Ｙｅｓ）は、つぎにメール再送処理を起動し（ステップＳ４７０６）、その後、ステップＳ４７０１へ移行する。
【０２４７】
これに対して、再送手順として電子メール送信を使用しないと判断した場合（ステップＳ４７０５：Ｎｏ）は、つぎにファクシミリによる再送処理を起動し（ステップＳ４７０７）、その後、一連の処理を終了する。
【０２４８】
以上説明したように、本実施の形態によれば、他のファクシミリ装置または他の情報処理装置へ、自装置の電子メールの取得状況を容易に伝えることができる。また、他のファクシミリ装置または他の情報処理装置からの要求に応じて、当該他のファクシミリ装置または他の情報処理装置へ、自装置の電子メールの取得状況を容易にかつ効率的に伝えることができる。さらに、電子メールをもちいて、他のファクシミリ装置または他の情報処理装置へ、自装置の電子メールの取得状況をより容易に伝えることができる。
【０２４９】
また、本実施の形態によれば、電子メール取得状況に関する情報を取得状況電子メールのテキストパートに記載するため、他のファクシミリ装置または他の情報処理装置が受信した情報を印字することしかできない場合であっても当該他の装置の操作者が視覚的に電子メールの取得状況を確認することができる。
【０２５０】
また、本実施の形態によれば、電子メール取得状況に関する情報を取得状況電子メールのバウンダリに記載するため、電子メールの取得状況に関する情報を、他のファクシミリ装置または他の情報処理装置においてデータ処理することができる。
【０２５１】
また、本実施の形態によれば、電子メール取得状況に関する情報をリスト出力するため、出力されたリストによって送信先の電子メールの取得状況を容易に確認することができる。
【０２５２】
また、本実施の形態によれば、電子メール取得状況に関する情報を、あらかじめ登録された他のファクシミリ装置または他の情報処理装置の電子メールアドレスに対応させて記憶するため、送信先の電子メールアドレスを特定することによって送信先の電子メールの取得状況を容易に確認することができる。
【０２５３】
また、本実施の形態によれば、あらかじめ登録された前記他のファクシミリ装置または前記他の情報処理装置の電子メールアドレスの呼び出し、すなわち、ワンタッチダイヤルキーの押下があった場合に、電子メールアドレスとともに電子メールアドレスに対応する電子メール取得状況に関する情報の全部または一部を表示するため、送信先の電子メールアドレスを選択する際に、当該送信先の電子メールの取得状況を容易に確認することができる。
【０２５４】
また、本実施の形態によれば、他のファクシミリ装置または他の情報処理装置によって画像情報を取得してほしい希望時刻に関する情報を入力し、入力された希望時刻に関する情報と、記憶された電子メール取得状況に関する情報とに基づいて、画像を、一般公衆回線を使用して前記所定のファクシミリ伝送手順によって伝送するか、電子メールに含めて送信をおこなうかを判断するため、送信先に届けたい希望時刻を指定するだけで、その時刻に間に合うように最適な方法を選択して画像を伝送することができる。
【０２５５】
また、本実施の形態によれば、インターネットを介して送信をおこなった結果、他のファクシミリ装置または他の情報処理装置が電子メール取得状況に関する情報どおりに前記画像情報を含む電子メールを取得しなかった場合に、画像情報を一般公衆回線を使用して前記所定のファクシミリ伝送手順によって伝送するため、インターネットを介して画像情報の伝送をおこなうように指定した場合であっても、確実に画像情報の伝送を実行することができる。
【０２５６】
なお、本実施の形態で説明した画像情報伝送方法は、あらかじめ用意されたプログラムをパーソナルコンピュータやワークステーション等のコンピュータで実行することにより実現することができる。このプログラムは、ハードディスク、フロッピーディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、上記記録媒体を介して、インターネット等のネットワークを介して配布することができる。
【０２５７】
【発明の効果】
以上説明したように、この発明によれば、他のファクシミリ装置または他の情報処理装置へ、自装置の電子メールの取得状況を容易に伝えることができ、これによって、ローカルエリアネットワークおよび／またはインターネットを介して画像情報の伝送をおこなう際の操作者の利便性を向上させることが可能な情報処理装置が得られるという効果を奏する。
【０２５８】
また、他のファクシミリ装置または他の情報処理装置からの要求に応じて、当該他のファクシミリ装置または他の情報処理装置へ、自装置の電子メールの取得状況を容易にかつ効率的に伝えることができ、これによって、ローカルエリアネットワークおよび／またはインターネットを介して画像情報の伝送をおこなう際の操作者の利便性を向上させることが可能な情報処理装置が得られるという効果を奏する。
【０２５９】
また、電子メールをもちいて、他のファクシミリ装置または他の情報処理装置へ、自装置の電子メールの取得状況をより容易に伝えることができ、これによって、ローカルエリアネットワークおよび／またはインターネットを介して画像情報の伝送をおこなう際の操作者の利便性を向上させることが可能な情報処理装置が得られるという効果を奏する。
【０２６０】
また、電子メールをもちいて、他のファクシミリ装置または他の情報処理装置からの要求に応じて、当該他のファクシミリ装置または他の情報処理装置へ、自装置の電子メールの取得状況をより容易かつ効率的に伝えることができ、これによって、ローカルエリアネットワークおよび／またはインターネットを介して画像情報の伝送をおこなう際の操作者の利便性を向上させることが可能な情報処理装置が得られるという効果を奏する。
【０２６１】
また、他のファクシミリ装置または他の情報処理装置が受信した情報を印字することしかできない場合であっても当該他の装置の操作者が視覚的に電子メールの取得状況を確認することができ、これによって、ローカルエリアネットワークおよび／またはインターネットを介して画像情報の伝送をおこなう際の操作者の利便性を向上させることが可能な情報処理装置が得られるという効果を奏する。
【０２６２】
また、電子メールの取得状況に関する情報を、他のファクシミリ装置または他の情報処理装置においてデータ処理することができ、これによって、ローカルエリアネットワークおよび／またはインターネットを介して画像情報の伝送をおこなう際の操作者の利便性を向上させることが可能な情報処理装置が得られるという効果を奏する。
【０２６３】
また、他のファクシミリ装置または他の情報処理装置の電子メールの取得情報を容易に要求することができ、これによって、ローカルエリアネットワークおよび／またはインターネットを介して画像情報の伝送をおこなう際の操作者の利便性を向上させることが可能な情報処理装置が得られるという効果を奏する。
【０２６４】
また、他のファクシミリ装置または他の情報処理装置の電子メールの取得情報を、電子メールをもちいて、より容易に要求することができ、これによって、ローカルエリアネットワークおよび／またはインターネットを介して画像情報の伝送をおこなう際の操作者の利便性を向上させることが可能な情報処理装置が得られるという効果を奏する。
【０２６５】
また、頻繁に画像伝送をおこなう他のファクシミリ装置または他の情報処理装置の電子メールの取得情報を容易に要求することができ、これによって、ローカルエリアネットワークおよび／またはインターネットを介して画像情報の伝送をおこなう際の操作者の利便性を向上させることが可能な情報処理装置が得られるという効果を奏する。
【０２６６】
また、出力されたリストによって送信先の電子メールの取得状況を容易に確認することができ、これによって、ローカルエリアネットワークおよび／またはインターネットを介して画像情報の伝送をおこなう際の操作者の利便性を向上させることが可能な情報処理装置が得られるという効果を奏する。
【０２６７】
また、送信先の電子メールアドレスを特定することによって送信先の電子メールの取得状況を容易に確認することができ、これによって、ローカルエリアネットワークおよび／またはインターネットを介して画像情報の伝送をおこなう際の操作者の利便性を向上させることが可能な情報処理装置が得られるという効果を奏する。
【０２６８】
また、送信先の電子メールアドレスを選択する際に、当該送信先の電子メールの取得状況を容易に確認することができ、これによって、ローカルエリアネットワークおよび／またはインターネットを介して画像情報の伝送をおこなう際の操作者の利便性を向上させることが可能な情報処理装置が得られるという効果を奏する。
【０２６９】
また、送信先に届けたい希望時刻を指定するだけで、その時刻に間に合うように最適な方法を選択して画像を伝送することができ、これによって、ローカルエリアネットワークおよび／またはインターネットを介して画像情報の伝送をおこなう際の操作者の利便性を向上させることが可能な情報処理装置が得られるという効果を奏する。
【０２７０】
また、前記ローカルエリアネットワークを介しておよび／または前記インターネットを介して画像情報の伝送をおこなうように指定した場合であっても、確実に当該画像情報の伝送を実行することができ、これによって、ローカルエリアネットワークおよび／またはインターネットを介して画像情報の伝送をおこなう際の操作者の利便性を向上させることが可能な情報処理装置が得られるという効果を奏する。
【０２７１】
また、電子メール取得情報を電子メール取得の時刻で特定することができ、これによって、ローカルエリアネットワークおよび／またはインターネットを介して画像情報の伝送をおこなう際の操作者の利便性を向上させることが可能な情報処理装置が得られるという効果を奏する。
【０２７２】
また、電子メール取得情報を電子メール取得の時間隔で特定することができ、これによって、ローカルエリアネットワークおよび／またはインターネットを介して画像情報の伝送をおこなう際の操作者の利便性を向上させることが可能な情報処理装置が得られるという効果を奏する。
【０２７３】
また、電子メール取得情報を所定時間における電子メール取得の回数で特定することができ、これによって、ローカルエリアネットワークおよび／またはインターネットを介して画像情報の伝送をおこなう際の操作者の利便性を向上させることが可能な情報処理装置が得られるという効果を奏する。
【図面の簡単な説明】
【図１】  この発明の本実施の形態にかかる画像情報伝送システムのシステム構成を示す説明図である。
【図２】  この発明の本実施の形態にかかる画像情報伝送システムの別のシステム構成を示す説明図である。
【図３】  この発明の本実施の形態にかかるファクシミリ装置のハードウエア構成を示すブロック図である。
【図４】  この発明の本実施の形態にかかるファクシミリ装置の電子メール制御部の構成を示すブロック図である。
【図５】  この発明の本実施の形態にかかる情報処理装置のハードウエア構成を示すブロック図である。
【図６】  この発明の本実施の形態にかかる情報処理装置の別のハードウエア構成を示すブロック図である。
【図７】  この発明の本実施の形態にかかるファクシミリ装置の構成を機能的に示すブロック図である。
【図８】  この発明の本実施の形態にかかるファクシミリ装置の別の構成を機能的に示すブロック図である。
【図９】  この発明の本実施の形態にかかるファクシミリ装置の別の構成を機能的に示すブロック図である。
【図１０】  この発明の本実施の形態にかかるファクシミリ装置の別の構成を機能的に示すブロック図である。
【図１１】  この発明の本実施の形態にかかるファクシミリ装置の別の構成を機能的に示すブロック図である。
【図１２】  この発明の本実施の形態にかかるファクシミリ装置の別の構成を機能的に示すブロック図である。
【図１３】  この発明の本実施の形態にかかるファクシミリ装置の別の構成を機能的に示すブロック図である。
【図１４】  この発明の本実施の形態にかかるファクシミリ装置の別の構成を機能的に示すブロック図である。
【図１５】  この発明の本実施の形態にかかる情報処理装置の構成を機能的に示すブロック図である。
【図１６】  この発明の本実施の形態にかかる情報処理装置の別の構成を機能的に示すブロック図である。
【図１７】  この発明の本実施の形態にかかる情報処理装置の別の構成を機能的に示すブロック図である。
【図１８】  この発明の本実施の形態にかかる情報処理装置の別の構成を機能的に示すブロック図である。
【図１９】  この発明の本実施の形態にかかる情報処理装置の別の構成を機能的に示すブロック図である。
【図２０】  この発明の本実施の形態にかかる情報処理装置の別の構成を機能的に示すブロック図である。
【図２１】  この発明の本実施の形態にかかる情報処理装置の別の構成を機能的に示すブロック図である。
【図２２】  この発明の本実施の形態にかかる情報処理装置の別の構成を機能的に示すブロック図である。
【図２３】  この発明の補実施の形態にかかるファクシミリ装置または情報処理装置によって送信される取得状況電子メールの構成のうちのヘッダ部分を示す説明図である。
【図２４】  この発明の本実施の形態にかかるファクシミリ装置または情報処理装置によって送信される取得状況電子メールの構成のうちのボディ部分を示す説明図である。
【図２５】  この発明の本実施の形態にかかるファクシミリ装置または情報処理装置（またはこの情報処理装置に接続されたプリンタ）によって出力されたワンタッチダイヤルキー宛先リストの一例を示す説明図である。
【図２６】  この発明の本実施の形態にかかるファクシミリ装置の操作表示部の内容を示す説明図である。
【図２７】  この発明の本実施の形態にかかるファクシミリ装置の操作表示部の別の内容を示す説明図である。
【図２８】  この発明の本実施の形態にかかるファクシミリ装置の操作表示部の別の内容を示す説明図である。
【図２９】  この発明の本実施の形態にかかるファクシミリ装置の操作表示部の別の内容を示す説明図である。
【図３０】  この発明の本実施の形態にかかるファクシミリ装置の操作表示部の別の内容を示す説明図である。
【図３１】  この発明の本実施の形態にかかるファクシミリ装置の操作表示部の別の内容を示す説明図である。
【図３２】  この発明の本実施の形態にかかるファクシミリ装置の操作表示部の別の内容を示す説明図である。
【図３３】  この発明の本実施の形態にかかるファクシミリ装置の操作表示部の別の内容を示す説明図である。
【図３４】  この発明の本実施の形態にかかるファクシミリ装置の操作表示部の別の内容を示す説明図である。
【図３５】  この発明の本実施の形態にかかるファクシミリ装置の操作表示部の別の内容を示す説明図である。
【図３６】  この発明の本実施の形態にかかるファクシミリ装置の操作表示部の別の内容を示す説明図である。
【図３７】  この発明の本実施の形態にかかるファクシミリ装置の操作表示部の別の内容を示す説明図である。
【図３８】  この発明の本実施の形態にかかる画像情報伝送方法における処理手順の内容を示すフローチャートである。
【図３９】  この発明の本実施の形態にかかる画像情報伝送方法における別の処理手順の内容を示すフローチャートである。
【図４０】  この発明の本実施の形態にかかる画像情報伝送方法における別の処理手順の内容を示すフローチャートである。
【図４１】  この発明の本実施の形態にかかる画像情報伝送方法における別の処理手順の内容を示すフローチャートである。
【図４２】  この発明の本実施の形態にかかる画像情報伝送方法における別の処理手順の内容を示すフローチャートである。
【図４３】  この発明の本実施の形態にかかる画像情報伝送方法における別の処理手順の内容を示すフローチャートである。
【図４４】  この発明の本実施の形態にかかる画像情報伝送方法における別の処理手順の内容を示すフローチャートである。
【図４５】  この発明の本実施の形態にかかる画像情報伝送方法における別の処理手順の内容を示すフローチャートである。
【図４６】  この発明の本実施の形態にかかる画像情報伝送方法における別の処理手順の内容を示すフローチャートである。
【図４７】  この発明の本実施の形態にかかる画像情報伝送方法における別の処理手順の内容を示すフローチャートである。
【符号の説明】
１００  インターネット
１０１，２０１  インターネット・サービス・プロバイダ
１０２，１０４，２０２  ルーター
１０３  社内ＬＡＮ
１０５，２０３  ＷＷＷサーバー・ＤＮＳサーバー・メールサーバー
１０６  プロキシ・サーバー
１０７  ＤＮＳサーバー・メールサーバー
１０８，１５２，２５２  ファクシミリ装置（ＦＡＸ）
１０９，１５４，２５４  情報処理装置（パーソナルコンピュータ（ＰＣ））
１１０，１５５，２５５  プリンタ
１１１，２０４  アクセス・サーバー
１１２，１５１，１５３，２０５，２５１，２５３  ＴＡ／モデム
１５０，２５０  一般公衆回線
７０１，９０１，１５０１，１７０１  画像情報伝送部
７０２，９０２，１５０２，１７０２  電子メール送受信部
７０３，１５０３  電子メール取得状況記憶部
７０４，１５０４  電子メール取得状況送信部
７０５，１５０５  取得要求情報受信部
８０１，１００１，１６０１，１８０１  電子メール作成部
９０３，１７０３  取得要求情報送信部
１１０１，１９０１  電子メール取得状況受信部
１１０２，１９０２  電子メール取得状況記憶部
１１０３  電子メール取得状況出力部
１２０１，２００１  電子メール取得状況表示部
１３０１，２１０１  希望時刻入力部
１３０２，２１０２  判断部
１９０３  電子メール取得状況送信部
２６００，２７００，２８００，２９００，３０００，３１００，３２００，３３００，３４００，３５００，３６００  ＬＣＤ
２６０１  ワンタッチダイヤルキー
２６０２  テンキー
２６０３  「Ｙｅｓ」キー
２６０４  「Ｎｏ」キー
２６０５  スタートキー
【図１】
0004017332.tif 000002
【図２】
0004017332.tif 000003
【図３】
0004017332.tif 000004
【図４】
0004017332.tif 000005
【図５】
0004017332.tif 000006
【図６】
0004017332.tif 000007
【図７】
0004017332.tif 000008
【図８】
0004017332.tif 000009
【図９】
0004017332.tif 000010
【図１０】
0004017332.tif 000011
【図１１】
0004017332.tif 000012
【図１２】
0004017332.tif 000013
【図１３】
0004017332.tif 000014
【図１４】
0004017332.tif 000015
【図１５】
0004017332.tif 000016
【図１６】
0004017332.tif 000017
【図１７】
0004017332.tif 000018
【図１８】
0004017332.tif 000019
【図１９】
0004017332.tif 000020
【図２０】
0004017332.tif 000021
【図２１】
0004017332.tif 000022
【図２２】
0004017332.tif 000023
【図２３】
0004017332.tif 000024
【図２４】
0004017332.tif 000025
【図２５】
0004017332.tif 000026
【図２６】
0004017332.tif 000027
【図２７】
0004017332.tif 000028
【図２８】
0004017332.tif 000029
【図２９】
0004017332.tif 000030
【図３０】
0004017332.tif 000031
【図３１】
0004017332.tif 000032
【図３２】
0004017332.tif 000033
【図３３】
0004017332.tif 000034
【図３４】
0004017332.tif 000035
【図３５】
0004017332.tif 000036
【図３６】
0004017332.tif 000037
【図３７】
0004017332.tif 000038
【図３８】
0004017332.tif 000039
【図３９】
0004017332.tif 000040
【図４０】
0004017332.tif 000041
【図４１】
0004017332.tif 000042
【図４２】
0004017332.tif 000043
【図４３】
0004017332.tif 000044
【図４４】
0004017332.tif 000045
【図４５】
0004017332.tif 000046
【図４６】
0004017332.tif 000047
【図４７】
0004017332.tif 000048